(57)【要約】【課題】ユーザによる簡単な操作で、ユーザの近くの装置からコンテンツを出力する。【解決手段】コンテンツ管理サーバは、当該通信端末の位置情報が管理されている通信端末が取り付けられた携帯端末及びコンテンツ出力装置と接続するコンテンツ管理サーバであって、前記携帯端末からコンテンツの印刷要求を受け付ける印刷要求受付手段と、前記印刷要求受付手段が受け付けた前記印刷要求に基づき、該携帯端末の近くに位置する第1のコンテンツ出力装置により出力される第1のコンテンツに対応する第２のコンテンツを、前記携帯端末の近くに位置する第２のコンテンツ出力装置に配信するコンテンツ配信手段とを有する。【選択図】図１７
2014110025.tif 000002
【特許請求の範囲】
【請求項１】
当該通信端末の位置情報が管理されている通信端末が取り付けられた携帯端末及びコンテンツ出力装置と接続するコンテンツ管理サーバであって、
前記携帯端末からコンテンツの印刷要求を受け付ける印刷要求受付手段と、
前記印刷要求受付手段が受け付けた前記印刷要求に基づき、該携帯端末の近くに位置する第1のコンテンツ出力装置により出力される第1のコンテンツに対応する第２のコンテンツを、前記携帯端末の近くに位置する第２のコンテンツ出力装置に配信するコンテンツ配信手段とを有するコンテンツ管理サーバ。
【請求項２】
前記印刷要求は、前記携帯端末を一意に識別する識別情報を含み、
前記携帯端末の前記識別情報に基づき、該携帯端末の位置情報を取得する端末位置情報取得手段と、
取得した該携帯端末の位置情報に基づき、該携帯端末の近くに位置する前記コンテンツ出力装置を検索する出力装置検索手段を有する請求項１記載のコンテンツ管理サーバ。
【請求項３】
当該コンテンツ管理サーバから前記第１のコンテンツ出力装置に配信された前記第１のコンテンツの配信状況を記憶するコンテンツ配信状況記憶手段と、
前記コンテンツ配信状況記憶手段から前記携帯端末の近くに位置する前記第１のコンテンツ出力装置に配信された前記第１のコンテンツを特定するコンテンツ特定手段とを有する請求項１又は２記載のコンテンツ管理サーバ。
【請求項４】
前記第１のコンテンツと前記第２のコンテンツとを対応付けて記憶するコンテンツ情報記憶手段と、
前記コンテンツ情報記憶手段から前記第１のコンテンツに対応する前記第２のコンテンツを読み出すコンテンツ読出し手段とを有する請求項１乃至３のいずれか一項に記載のコンテンツ管理サーバ。
【請求項５】
前記コンテンツ配信手段により配信された前記第２のコンテンツの前記第２のコンテンツ出力装置における印刷実行結果を含む印刷要求応答を、前記印刷要求を行った前記携帯端末に送信する印刷要求応答手段を有する請求項１乃至４のいずれか一項に記載のコンテンツ管理サーバ。
【請求項６】
前記コンテンツ配信手段は、
前記印刷実行結果が、前記第２のコンテンツ出力装置において前記第２のコンテンツが印刷されなかったことを示す結果である場合、該第２のコンテンツ出力装置と異なる第２のコンテンツ出力装置に前記第２のコンテンツを配信する請求項１乃至５のいずれか一項に記載のコンテンツ管理サーバ。
【請求項７】
前記第１のコンテンツ出力装置は、表示装置であり、
前記第２のコンテンツ出力装置は、画像形成装置である請求項１乃至６のいずれか一項に記載のコンテンツ管理サーバ。
【請求項８】
前記通信端末の前記位置情報は、該通信端末に最も近い、自機が設置された位置に対応する位置情報を配信する配信装置から地上補完信号を用いて配信された位置情報である請求項１乃至７のいずれか一項に記載のコンテンツ管理システム。
【請求項９】
当該通信端末の位置情報が管理されている通信端末が取り付けられた携帯端末及びコンテンツ出力装置と接続するコンテンツ管理サーバにおいて実行されるコンテンツ管理プログラムであって、
前記コンテンツ管理サーバを、
前記携帯端末からコンテンツの印刷要求を受け付ける印刷要求受付手段、
前記印刷要求受付手段が受け付けた前記印刷要求に基づき、該携帯端末の近くに位置する第1のコンテンツ出力装置により出力される第1のコンテンツに対応する第２のコンテンツを、前記携帯端末の近くに位置する第２のコンテンツ出力装置に配信するコンテンツ配信手段として機能させるコンテンツ管理プログラム。
【請求項１０】
当該通信端末の位置情報が管理されている通信端末が取り付けられた携帯端末及びコンテンツ出力装置と、該携帯端末及び該コンテンツ出力装置に接続するコンテンツ管理サーバとを有するコンテンツ管理システムであって、
前記携帯端末は、
前記コンテンツ管理サーバにコンテンツの印刷要求をする印刷要求手段を有し、
前記コンテンツ管理サーバは、
前記携帯端末からの前記印刷要求を受け付ける印刷要求受付手段と、
前記印刷要求受付手段が受け付けた前記印刷要求に基づき、該携帯端末の近くに位置する第1のコンテンツ出力装置により出力される第1のコンテンツに対応する第２のコンテンツを、前記携帯端末の近くに位置する第２のコンテンツ出力装置に配信するコンテンツ配信手段とを有するコンテンツ管理システム。
【発明の詳細な説明】
【技術分野】
【０００１】
本発明は、コンテンツ管理サーバ、コンテンツ管理プログラム及びコンテンツ管理サーバに関する。
【背景技術】
【０００２】
商品やサービスの広告において、例えばプロジェクタでその商品等の紹介映像を投影し、その紹介映像に関連するちらしやカタログ等の紙媒体を配布するといった形態がとられる。また、近年、広告媒体の一つとしてデジタルサイネージ（電子看板）が普及しており、デジタルサイネージでデジタルコンテンツを表示させ、その傍らにちらし等の紙媒体のコンテンツを置いておくような形態もみられる。このように、ちらしやカタログ等の紙媒体が用いられる場合、予め見積もった需要の部数のちらし等を印刷し用意しておかなければならない。したがって、予めちらし等を印刷しておくことに手間がかかり、また需要の見積もりが外れた場合はちらし等が余ったり、足りなくなったりし得る。そのため、コンテンツの提供者の観点では、無駄な印刷コストがかかったり、広告する機会を逸したりしてしまうという問題がある。また、コンテンツを視聴する顧客の観点では欲しいコンテンツ（紙媒体）をその場ですぐに得られず不便な場合があり得る。
【０００３】
一方、印刷をする場合において、ユーザは印刷したいコンテンツとそれを印刷するプリンタとを前もって指定することが通常である。しかしながら、例えば展示会等への来訪者等のユーザが印刷する場合、見知らぬ環境でプリンタやコンテンツをいちいち調べてから指定するのは面倒であり、ユーザの操作に手間がかかるという課題がある。
【０００４】
そこで、特許文献１には、印刷対象の配信データ（コンテンツ）を容易に配信することを目的として、配信サーバは、配信時刻に応じて、この配信データのジャンルを基に、当該ジャンルに属するコンテンツを抽出し、抽出したコンテンツをプリンタに配信する技術が開示されている。
【発明の概要】
【発明が解決しようとする課題】
【０００５】
特許文献１に記載の技術によれば、ユーザは取得を希望するコンテンツをジャンルで指定するだけで、１つ１つのコンテンツを設定する必要がなく、そのジャンルに属するコンテンツをすべて取得できる。
【０００６】
しかしながら、特許文献１に記載の技術では、ユーザは取得を希望するコンテンツのジャンルを指定するという操作は必要であり、希望するコンテンツを取得するためにユーザは手間がかかる操作をせざるを得ないという課題は解決できていない。また、ユーザが必要なコンテンツをその場ですぐに出力させるという課題も解決されない。
【０００７】
そこで、本発明は、上記の点に鑑みてなされたものであって、ユーザによる簡単な操作で、ユーザの近くの装置からコンテンツを出力することを目的とする。
【課題を解決するための手段】
【０００８】
そこで上記課題を解決するため、コンテンツ管理サーバは、当該通信端末の位置情報が管理されている通信端末が取り付けられた携帯端末及びコンテンツ出力装置と接続するコンテンツ管理サーバであって、前記携帯端末からコンテンツの印刷要求を受け付ける印刷要求受付手段と、前記印刷要求受付手段が受け付けた前記印刷要求に基づき、該携帯端末の近くに位置する第1のコンテンツ出力装置により出力される第1のコンテンツに対応する第２のコンテンツを、前記携帯端末の近くに位置する第２のコンテンツ出力装置に配信するコンテンツ配信手段とを有する。
【発明の効果】
【０００９】
本発明の実施の形態によれば、ユーザによる簡単な操作で、ユーザの近くの装置からコンテンツを出力できる。
【図面の簡単な説明】
【００１０】
【図１】本発明の実施の形態におけるコンテンツ管理システムの構成の一例を示す図である。
【図２】本発明の実施の形態における配信装置及び通信端末の設置形態の一例を示す図である。
【図３】本発明の実施の形態における通信端末のハードウェア構成の一例を示す図である。
【図４】本発明の実施の形態における位置情報のデータのフォーマットの一例を示す概念図である。
【図５】本発明の実施の形態における位置情報を含むデータのデータ構造の一例を示す概念図である。
【図６】本発明の実施の形態における配信装置のハードウェア構成図の一例を示す図である。
【図７】本発明の実施の形態における配信装置が配信する位置情報の一例を示す概念図である。
【図８】本発明の実施の形態におけるゲートウェイ装置のハードウェア構成の一例を示す図である。
【図９】本発明の実施の形態における位置情報管理サーバのハードウェア構成の一例を示す図である。
【図１０】本発明の実施の形態におけるコンテンツ管理サーバのハードウェア構成の一例を示す図である
【図１１】本発明の実施の形態における携帯端末のハードウェア構成の一例を示す図である。
【図１２】本発明の実施の形態におけるコンテンツ出力装置（プロジェクタ）のハードウェア構成の一例を示す図である。
【図１３】本発明の実施の形態におけるコンテンツ出力装置（ＭＦＰ）のハードウェア構成の一例を示す図である。
【図１４】本発明の実施の形態における配信装置及び通信端末の機能構成の一例を示す図である。
【図１５】本発明の実施の形態におけるゲートウェイ装置及び位置情報管理サーバの機能構成の一例を示す図である。
【図１６】本発明の実施の形態における位置情報管理サーバの位置情報記憶部に記憶される情報の一例を示す図である。
【図１７】本発明の実施の形態における携帯端末、コンテンツ管理サーバ及びコンテンツ出力装置の機能構成の一例を示す図である。
【図１８】本発明の実施の形態における印刷指示アプリの印刷指示画面の一例を示す図である。
【図１９】本発明の実施の形態における印刷指示アプリの印刷結果通知画面の一例を示す図である。
【図２０】本発明の実施の形態におけるコンテンツ管理サーバのコンテンツ配信状況記憶部に記憶される情報の一例を示す図である。
【図２１】本発明の実施の形態におけるコンテンツ管理サーバのコンテンツ情報記憶部に記憶される情報の一例を示す図である。
【図２２】本発明の実施の形態におけるコンテンツ管理サーバのエリア情報記憶部に記憶される情報の一例を示す図である。
【図２３】本発明の実施の形態におけるコンテンツ管理サーバの通信端末関連情報記憶部に記憶される情報の一例を示す図である。
【図２４】本発明の実施の形態におけるコンテンツ管理サーバのコンテンツデータ記憶部に記憶される情報の一例を示す図である。
【図２５】本発明の実施の形態におけるコンテンツ管理システムが通信端末の位置情報を管理する動作手順の一例を示すシーケンス図である。
【図２６】本発明の実施の形態におけるコンテンツ管理システムがコンテンツの配信後のコンテンツ配信状況を記憶する動作手順の一例を示すシーケンス図である。
【図２７】本発明の実施の形態におけるコンテンツ管理システムが印刷要求に基づき印刷を実行する動作手順の一例を示すシーケンス図である。
【図２８】本発明の実施の形態におけるコンテンツ管理サーバの印刷要求受付時の処理手順の一例を示すフローチャート図（その１）である。
【図２９】本発明の実施の形態におけるコンテンツ管理サーバの印刷要求受付時の処理手順の一例を示すフローチャート図（その２）である。
【図３０】本発明の実施の形態の変形例におけるコンテンツ管理サーバの印刷要求受付時の処理手順の一例を示すフローチャート図である。
【発明を実施するための形態】
【００１１】
以下、本発明の実施の形態について、図面を用いて説明する。
【００１２】
[システム構成]
図１は、本発明の実施の形態におけるコンテンツ管理システム１のシステム構成の一例を示す図である。
【００１３】
図１（ａ）に示されるように、コンテンツ管理システム１は、通信端末５ａ、５ｂ、５ｃ、・・・５ｎ（それぞれを区別しない場合は「通信端末５」という。）と、配信装置３と、ゲートウェイ装置７と、位置情報管理サーバ９とを有する。通信端末５と配信装置３とゲートウェイ装置７とは、例えばＩＥＥＥ８０２．１５．４規格のアーキテクチャモデルのうち物理層とＭＡＣ層を採用したＺｉｇＢｅｅ（登録商標）によるネットワーク８９１を介して通信可能に接続されている。この場合、日本、米国、欧州等の利用領域に応じて、配信装置３は、８００ＭＨｚ帯、９００ＭＨｚ帯又は２．４ＧＨｚ帯を利用し、隣接する他の配信装置３を経由して、ゲートウェイ装置７にデータを送信することができる。ゲートウェイ装置７と位置情報管理サーバ９とは、ＬＡＮ（Local  Area  Network）又はインターネット等のネットワーク８９２を介して、通信可能に接続されている。図１（ａ）に示されるシステム構成により、コンテンツ管理システム１は、位置情報管理サーバ９に通信端末５の位置情報を管理させることができる。
【００１４】
また、図１（ｂ）に示されるように、コンテンツ管理システム１は、図１（ａ）に示された機器に加えて、携帯端末４と、プロジェクタ６ａ、ＭＦＰ６ｂ、・・・ディスプレイ６ｎ（それぞれを区別しない場合は「コンテンツ出力装置６」という。）と、コンテンツ管理サーバ８とを有する。携帯端末４及びコンテンツ出力装置６には、通信端末５が取り付けられている。コンテンツ出力装置６は、例えばプロジェクタ、有機ＥＬ（Electro  Luminescence）ディスプレイ若しくは液晶ディスプレイ等の表示装置又はプリンタ若しくはＭＦＰ（Multifunction  Peripheral）等の画像形成装置であって、コンテンツを出力する媒体は問わない。コンテンツ管理サーバ８と位置情報管理サーバ９とは、ＬＡＮ又はインターネット等のネットワークを介して通信可能に接続されている。コンテンツ管理サーバ８と、携帯端末４及びコンテンツ出力装置６とは、例えばＩＥＥＥ８０２．１１規格に準拠する無線ＬＡＮ等のネットワーク８９３を介して通信可能に接続されている。
【００１５】
本発明の実施の形態のコンテンツ管理システム１は、コンテンツ管理サーバ８が携帯端末４からの印刷要求を受け付けると、プロジェクタ６ａが出力中の投影コンテンツに対応した印刷コンテンツを、ＭＦＰ６ｂに出力させることができる。なお、携帯端末４から印刷要求を行う場合、携帯端末４のユーザ（以下、単に「ユーザ」という。）は、出力（印刷）させるコンテンツを指定することなく、印刷指示さえ行えばよい。また、コンテンツ管理サーバ８は、携帯端末４及びコンテンツ出力装置６（プロジェクタ６ａ、ＭＦＰ６ｂ）の位置情報を用いて、携帯端末４に近いコンテンツ出力装置６（ＭＦＰ６ｂ）から印刷できる。なお、本発明の実施の形態における投影コンテンツとは、プロジェクタ６ａであるコンテンツ出力装置６から出力（投影）されるデジタルコンテンツをいう。投影コンテンツは、例えば、動画のファイル形式であるＭＰ４、ＡＶＩ（Audio  Video  Interleave）等、音声のファイル形式であるＡＡＣ（Advanced  Audio  Coding）等又は静止画のファイル形式であるＪＰＥＧ（Joint  Photographic  Experts  Group）等である。また、印刷コンテンツとはＭＦＰ６ｂであるコンテンツ出力装置６から出力（印刷）されるコンテンツである。印刷コンテンツは、ＰＤＬ（Page  Description  Language）形式で記述された描画データである。なお、本発明の実施の形態において、投影コンテンツと印刷コンテンツとを区別しない場合、単にコンテンツという。
【００１６】
図１（ａ）に示される配信装置３は、図２に示されるような室内の天井等に設置された電気機器２ａ、２ｂ、２ｃ、・・・２ｎ（それぞれを区別しない場合は「電気機器２」という。）に内蔵されるか又はこれらの外部に取り付けられている。
【００１７】
図２は、本発明の実施の形態における配信装置３及び通信端末５の設置形態の一例を示す図である。電気機器２は、配信装置３に対して電力を供給する。電気機器２は、例えば蛍光灯型ＬＥＤ(Light  Emitting  Diode)照明器具である。なお、電気機器２はＬＥＤ照明器具に限らず、例えば一般の蛍光灯や換気扇、スピーカ、監視カメラ、エアコン等であってもよい。配信装置３は、自機が固定された位置に対応する位置情報を所有し、その位置情報を無線信号により所定の範囲に対して連続的又は断続的に送信する。所定の範囲は、用いられる無線信号の信号強度及び送信アンテナの指向性等によって定められる。配信装置３は、位置の管理対象となる領域をカバーするように配置され、それぞれの領域が重複しないように構成される。あるいは重複する場合であっても、位置情報を受信する側において、受信電波の強度に基づいて、いずれか一つの配信装置３が決定できるように構成される。図２の例では、配信装置３の下方に示される円錐型の点線が、所定の範囲を表している。位置情報を送信する通信方式として、例えば地上補完信号ＩＭＥＳ（Indoor  Messaging  System）を用いることができる。また、配信装置３は通信端末５又はゲートウェイ装置７に対して位置情報以外のデータも送受信できる。
【００１８】
通信端末５は、図１（ｂ）又は図２に示されるように、携帯端末４及びコンテンツ出力装置６に取り付けられており、例えばＲＦＩＤ（Radio  Frequency  IDentification）タグである。携帯端末４には、通信端末５ａが内蔵又は外部に取り付けられている。プロジェクタ６ａ、ＭＦＰ６ｂ、ディスプレイ６ｎには、それぞれ通信端末５ｂ、５ｃ、５ｎが取り付けられている。通信端末５は、例えば配信装置３から送信される地上補完信号ＩＭＥＳ規格に準ずる測位信号を受信して、位置情報を取得する。そして、通信端末５は、ネットワーク８９１を介して、受信した位置情報を位置情報管理サーバ９に送信する。なお、通信端末５から送信される位置情報には、通信端末５を一意に識別する識別情報が含まれる。ここで識別情報とは、例えば通信端末５のＭＡＣ（Media  Access  Control）アドレスである。
【００１９】
携帯端末４は、ネットワーク８９３を介し、コンテンツ管理サーバ８に印刷要求を送信するための通信機能、ユーザからの入力指示を受け付ける入力機能、ユーザに対して情報を表示出力する表示出力機能等を有する。携帯端末４は、例えばスマートフォンやタブレット端末、ノートＰＣ等である。
【００２０】
コンテンツ出力装置６は、ネットワーク８９３を介し、コンテンツ管理サーバ８とデータの送受信をするための通信機能、コンテンツを出力する出力機能、情報記憶機能等を有する。コンテンツ出力装置６がプロジェクタ６ａである場合は、投影コンテンツを投影する。コンテンツ出力装置６がＭＦＰ６ｂである場合は、印刷コンテンツを印刷する。なお、例えばコンテンツ出力装置６がプロジェクタ６ａである場合、プロジェクタ６ａにＰＣを接続させ、ＰＣがコンテンツをコンテンツ管理サーバ８から受信する通信機能等を備える構成にしてもよい。
【００２１】
図１（ａ）に示されるように、ゲートウェイ装置７は、ネットワーク８９１とネットワーク８９２とを相互に接続し、一方のネットワークから送信されたデータを他方のネットワークにブリッジする。ゲートウェイ装置７は、例えば建物のフロア毎又は壁等で仕切られた部屋毎に設置される。ネットワーク８９１がＩＥＥＥ８０２．１５．４規格及びＺｉｇＢｅｅ（登録商標）によるネットワークであり、ネットワーク８９２がＩＥＥＥ８０２．３規格に準拠するＬＡＮである場合は、それらの間の通信方式の変換を行う。
【００２２】
なお、上述したネットワーク８９１、ネットワーク８９２及びネットワーク８９３の通信方式は上記に限らず、各装置間の通信が可能であれば、例えば移動通信網や近距離無線通信規格のＩＥＥＥ８０２．１５．１（Ｂｌｕｅｔｏｏｔｈ（登録商標））等であってもよい。
【００２３】
位置情報管理サーバ９は、通信端末５の位置情報を管理する位置情報管理機能及び情報通信機能等を有する。ここで、位置情報管理サーバ９による位置情報の管理方法の一例の概略を説明する。
【００２４】
本発明の実施の形態では、例えば、天井に設置されている配信装置３は、無線通信によりこの配信装置３が設置された位置を示す位置情報を配信する。これにより、通信端末５は配信装置３から配信された位置情報を受信する。
【００２５】
次に、通信端末５は、無線通信により配信装置３に、通信端末５を識別するための識別情報と受信した位置情報とを送信する。この場合、通信端末５は、配信装置３から配信され受信した位置情報を、配信装置３に送り返すことになる。これにより、配信装置３は、通信端末５の識別情報及び位置情報を受信する。
【００２６】
次に、配信装置は、無線通信により、ゲートウェイ装置７に通信端末５の識別情報及び位置情報を送信する。
【００２７】
そして、ゲートウェイ装置７は、ネットワーク８９２を介して位置情報管理サーバ９に通信端末５の識別情報及び位置情報を送信する。
【００２８】
位置情報管理サーバ９では、通信端末５の識別情報及び位置情報を管理することで、コンテンツ管理システム１の管理者（以下、単に「管理者」という。）は、通信端末５と通信端末５が取り付けられた携帯端末４及びコンテンツ出力装置６との屋内における位置を把握できる。
【００２９】
なお、通信端末５は、位置情報を送信した配信装置３よりさらに近傍にゲートウェイ装置７が存在する場合には、位置情報等のデータをゲートウェイ装置７に送信してもよい。これにより、最短経路で通信端末５の識別情報と位置情報とを位置情報管理サーバ９に送信できる。
【００３０】
コンテンツ管理サーバ８は、コンテンツ出力装置６に出力させるコンテンツを記憶する情報記憶機能、ネットワーク８９３を用いた携帯端末４又はコンテンツ出力装置６とのデータの送受信及び位置情報管理サーバ９とのデータの送受信のための通信機能等を有する。また、コンテンツ管理サーバ８は、エリア（例えば受付ロビー、応接室、会議室等）に対応する位置情報と、コンテンツ毎のセキュリティレベル（コンテンツセキュリティレベル）と、通信端末５毎に対応付けられたコンテンツの閲覧権限とを記憶する。そして、コンテンツの閲覧権限とコンテンツセキュリティレベルとに基づき、コンテンツ出力装置６において出力対象のコンテンツの出力可否を判定する。
【００３１】
［システム動作概要］
本発明の実施の形態におけるコンテンツ管理システム１の動作概要を説明する。
【００３２】
（１）携帯端末４、プロジェクタ６ａ及びＭＦＰ６ｂに取り付けられた通信端末５の位置情報が位置情報管理サーバ９に管理されている。位置情報は周期的（例えば６０秒周期）又は通信端末５の位置が変更されたことを契機に更新される。なお、（１）の通信端末５の位置情報が管理される動作は以降の動作と独立して実行される。
【００３３】
（２）管理者等の操作により、コンテンツ管理サーバ８からプロジェクタ６ａに投影コンテンツが配信されると、コンテンツ管理サーバ８は投影コンテンツを配信した日時及び配信先のプロジェクタ６ａの識別情報等の配信状況を記憶する。
【００３４】
（３）携帯端末４を所持するユーザがプロジェクタ６ａにより投影されているコンテンツに対応する印刷コンテンツ（例えば、ちらしやカタログ等）を印刷したい場合、ユーザは携帯端末４を操作し、印刷要求を行う。
【００３５】
（４）携帯端末４が印刷要求をコンテンツ管理サーバ８に送信すると、コンテンツ管理サーバ８は、位置情報管理サーバ９から携帯端末４の位置を検索する。次に、コンテンツ管理サーバ８は、携帯端末４の近くに位置するプロジェクタ６ａ及びＭＦＰ６ｂを抽出する。
【００３６】
（５）コンテンツ管理サーバ８は、プロジェクタ６ａで投影している投影コンテンツを上記（２）で記憶した配信状況を用いて特定する。コンテンツ管理サーバ８は、予め投影コンテンツとこれに対応付けて印刷コンテンツとを記憶しており、特定した投影コンテンツに基づき、対応付けられた印刷コンテンツを特定する。
【００３７】
（６）コンテンツ管理サーバ８は、上記（４）で抽出したＭＦＰ６ｂに、上記（５）で特定した印刷コンテンツを配信する。
【００３８】
（７）ＭＦＰ６ｂは、配信された印刷コンテンツを印刷する。
【００３９】
以上、（１）〜（７）の動作により、コンテンツ管理システム１は、携帯端末４からの印刷要求に基づき、各機器の位置情報によりプロジェクタ６ａで投影している投影コンテンツに対応する印刷コンテンツを、携帯端末４の近くに位置するＭＦＰ６ｂを用いて印刷できる。ユーザは、プロジェクタ６ａ、ＭＦＰ６ｂ、コンテンツ等を指定することなく、簡単な操作（印刷指示のみ）で印刷できる。
【００４０】
[ハードウェア構成]
＜通信端末＞
図３は、本発明の実施の形態における通信端末５のハードウェア構成の一例を示す図である。
【００４１】
図３に示されるように、通信端末５は、制御部１４及び無線通信部１５によって構成されている。
【００４２】
このうち、制御部１４は、制御部１４全体の動作を制御するＣＰＵ４０１、基本入出力プログラムを記憶したＲＯＭ４０２、ＣＰＵ４０１のワークエリアとして使用されるＲＡＭ４０３、配信装置３から配信される位置情報を受信する通信回路４０４及びアンテナ４０４ａ、加速度を検出する加速度センサ４０５、無線通信部１５と信号の送受信を行うＩ／Ｆ４０８、及び上記各部を電気的に接続するためのアドレスバスやデータバス等のバスライン４０９を備えている。また、制御部１４は、ボタン電池４０６も設けられており、このボタン電池４０６によって駆動される。なお、本発明の実施の形態では、ボタン電池４０６を使う場合について説明するが、ボタン型に限らず、単３もしくは単４等の乾電池又は通信端末５に専用の電池であってもよい。
【００４３】
通信回路４０４は、アンテナ４０４ａによって、ＩＭＥＳを利用して配信された位置情報を受信する。また、制御部１４は、コネクタ４０９ａを介して無線通信部１５に、ボタン電池４０６の電力を供給する。さらに、制御部１４は、Ｉ／Ｆ４０８からコネクタ４０９ｂを介して無線通信部１５とデータ（信号）の送受信を行う。
【００４４】
また、加速度センサ４０５は、通信端末５の加速度の変化を検出する。加速度の変化は、例えば、通信端末５が移動を開始した時、通信端末５が移動を停止した時又は通信端末５が傾いた時等に検出される。ＣＰＵ４０１の処理が停止中の場合、加速度センサ４０５が加速度の変化を検出すると、ＣＰＵ４０１へ処理を始動させるための信号を送信する。これにより、ＣＰＵ４０１は、自己の処理を始動させると共に、通信回路４０４に対して処理を始動させるための信号を送信する。よって、位置情報が配信装置３から配信されている場合、通信端末５の通信回路４０４は、アンテナ４０４ａを介して位置情報の受信を開始することができる。
【００４５】
一方、無線通信部１５は、上記無線通信部１３と基本的に同じ構成を有し、無線通信部１３と同じ帯域を利用して、配信装置３の無線通信部１３とデータの送受信を行うことができる。そして、無線通信部１５は、図３に示されるように、無線通信部１５全体の動作を制御するＣＰＵ５０１、基本入出力プログラム及び識別情報を記憶したＲＯＭ５０２、ＣＰＵ５０１のワークエリアとして使用されるＲＡＭ５０３、位置情報や識別情報を送信する通信回路５０４及びアンテナ５０４ａ、制御部１４と信号の送受信を行うＩ／Ｆ５０８、及び、上記各部を電気的に接続するためのアドレスバスやデータバス等のバスライン５０９を備えている。なお、無線通信部１５においても、ＺｉｇＢｅｅ（登録商標）を用いてもよい。
【００４６】
また、通信回路５０４は、ＣＰＵ５０１からの命令により、コネクタ４０９ｂを介して、制御部１４のＲＡＭ４０３に記憶されている位置情報を取得する。さらに、通信回路５０４は、ＲＯＭ５０２に記憶されている識別情報を読み出し、上記取得された位置情報と共にアンテナ５０４ａを介して配信装置３へ送信する。
【００４７】
また、通信回路５０４によって送信される位置情報のデータは、図４に示すようなフォーマットにより構成されている。図４は、本発明の実施の形態における位置情報のデータのフォーマットの一例を示す概念図である。図４の例では、階数、緯度、経度、棟番号の各フィールドが、それぞれ９ビット、２１ビット、２１ビット、８ビットで表現され、各フィールドの表現形式はＩＭＥＳ規格に準ずる。実際にはこのフォーマットに加えて通信方式によって規定されるヘッダやチェックサム情報が付加され、図５に示されるように送信先、送信元及びデータ内容（位置情報等）が含まれている。図５は、本発明の実施の形態における位置情報を含むデータのデータ構造の一例を示す概念図である。
【００４８】
＜配信装置＞
図６は、本発明の実施の形態における配信装置３のハードウェア構成の一例を示す図である。なお、図６の例は、配信装置３が内蔵される電気機器２がＬＥＤ照明器具の場合の蛍光灯型ＬＥＤランプのハードウェア構成図である。
【００４９】
図６に示されるように、ＬＥＤランプ１３０は、主に電源制御部１４０、リード線（１５１ａ、１５１ｂ）、端子ピン（１５２ａ１、１５２ａ２、１５２ｂ１、１５２ｂ２）、リード線１５３、リード線１５４、リード線１５５及び配信装置３によって構成されている。このうち電源制御部１４０は、電源から出力される電流を制御し、主に、電流監視回路１４１及び平滑回路１４２によって構成されている。電流監視回路１４１は、電源から出力される電流を入力して整流する。平滑回路１４２は、電流監視回路１４１によって整流された電流を平滑し、リード線（１５１ａ、１５１ｂ）を介して各端子ピン（１５２ａ１、１５２ａ２、１５２ｂ１、１５２ｂ２）に電力を供給する。
【００５０】
また、電源制御部１４０と端子ピン（１５２ａ１、１５２ａ２、１５２ｂ１、１５２ｂ２）は、リード線（１５１ａ、１５１ｂ）によって電気的に接続されている。電源制御部１４０と配信装置３は、リード線１５４によって電気的に接続されている。なお、ＬＥＤ１６０は、図６において一つだけ示しているが、実際には複数のＬＥＤが取り付けられている。また、図６に示される構成のうち配信装置３以外は一般のＬＥＤランプと同じ構成である。
【００５１】
配信装置３は、電圧変換器１００、リード線１５５、制御部１１、位置情報配信部１２及び無線通信部１３によって構成されている。そして、電圧変換器１００がリード線１５５を介して、制御部１１、位置情報配信部１２及び無線通信部１３に電気的に接続されている。
【００５２】
このうち電圧変換器１００は、電源制御部１４０から供給された電力の電圧を配信装置３の駆動電圧に変換し、制御部１１、位置情報配信部１２及び無線通信部１３へ供給する電子部品である。
【００５３】
また、制御部１１は、制御部１１全体の動作を制御するＣＰＵ１０１、基本入出力プログラムを記憶したＲＯＭ１０２、ＣＰＵ１０１のワークエリアとして使用されるＲＡＭ１０３、位置情報配信部１２及び無線通信部１３とそれぞれ信号の送受信を行うＩ／Ｆ（１０８ａ、１０８ｂ）並びに上記各部を電気的に接続するためのアドレスバスやデータバス等のバスライン１０９を備えている。
【００５４】
また、位置情報配信部１２は、位置情報配信部１２全体の動作を制御するＣＰＵ２０１、基本入出力プログラム及び位置情報を記憶したＲＯＭ２０２、位置情報を配信する通信回路２０４及びアンテナ２０４ａ、制御部１１と信号の送受信を行うＩ／Ｆ２０８、並びに、上記各部を電気的に接続するためのアドレスバスやデータバス等のバスライン２０９を備えている。
【００５５】
このうち通信回路２０４は、屋内ＧＰＳと呼ばれる屋内測位技術の一つであるＩＭＥＳを利用し、アンテナ２０４ａによって位置情報を配信する。なお、図２には、位置情報の到達可能な範囲（配信可能な範囲）が仮想的に破線によって表されている。本発明の実施の形態のＩＭＥＳでは、例えば屋内の天井高が約３ｍの場合に、屋内の床に表された位置情報の到達可能な仮想円の半径が約５ｍとなるように、送信出力が設定される。但し、この送信出力の設定を変更すれば、５ｍよりも小さくすることも可能であり、大きくすることも可能である。
【００５６】
また、本発明の実施の形態において配信装置３が配信する位置情報は、蛍光灯型ＬＥＤ照明器具である電気機器２が設置された位置を示し、図７に示されるように、階数、緯度、経度、棟番号の項目を含む。
【００５７】
図７は、本発明の実施の形態における配信装置が配信する位置情報の一例を示す概念図である。このうち階数は、電気機器２（配信装置３）が設置される建物の階数を表す。緯度及び経度は、電気機器２（配信装置３）が設置された位置の緯度及び経度を表す。棟番号は、電気機器２（配信装置３）が設置された建物の棟番号を表す。図７の例では、電気機器２（配信装置３）は、ある建物のＸ棟の１６階で、緯度が北緯３５．６６６６０度、経度が東経１３９．７６５２０度の地点に設置されていることが示されている。なお、緯度は南緯、経度は西経により表されてもよい。
【００５８】
図６に戻り説明する。無線通信部１３は、無線通信部１３全体の動作を制御するＣＰＵ３０１、基本入出力プログラム及び装置識別情報を記憶したＲＯＭ３０２、ＣＰＵ３０１のワークエリアとして使用されるＲＡＭ３０３、位置情報や識別情報を受信してゲートウェイ装置７に送信する通信回路３０４及びアンテナ３０４ａ、制御部１１と信号の送受信を行うＩ／Ｆ３０８、及び、上記各部を電気的に接続するためのアドレスバスやデータバス等のバスライン３０９を備えている。
【００５９】
また、無線通信部１３は、９２０ＭＨｚ帯を利用してデータの送受信を行う。９２０ＭＨｚ帯は、電波到達性が高いため配信装置３とゲートウェイ装置７との間に建物の柱や壁が存在している場合であっても、配信装置３からゲートウェイ装置７にデータを送信することができるという効果を奏する。
【００６０】
さらに、通信回路３０４は、ＩＥＥＥ８０２．１５．４規格のアーキテクチャモデルのうち少なくとも物理層（レイヤ）の規格を利用し、アンテナ３０４ａによってデータの送受信を行う。また、この場合には、配信装置３（無線通信部１３）を識別するための装置識別情報として、ＭＡＣアドレスを用いることができる。
【００６１】
なお、通信回路３０４が用いる規格がＺｉｇＢｅｅ(登録商標)である場合は、隣接する他の配信装置３を経由して、ゲートウェイ装置７にデータを送信できる。このように他の配信装置３を経由してデータを送信するマルチホップ通信を利用すれば、各配信装置３の無線通信部１３は、ルーティング処理に時間が掛かるが、最寄りの配信装置３にデータが到達する程度の電力で通信すればよいため、省電力で駆動することができるというメリットがある。
【００６２】
また、配信装置３により配信される位置情報は、配信装置３の工場出荷前にメーカーによって記憶部２９に記憶されてもよいし、配信装置３の工場出荷後で天井に電気機器２が設置される際に設置者によって記憶されてもよい。さらに、位置情報は、位置情報管理サーバ９等の外部の装置から、ゲートウェイ装置７を介して無線通信により無線通信部１３の通信回路３０４が受信し、制御部１１を介して位置情報配信部１２のＲＯＭ２０２に記憶されるようにしてもよい。
【００６３】
＜ゲートウェイ装置＞
図８に示されるように、ゲートウェイ装置７は、無線通信部１７及び有線通信部１８によって構成されている。
【００６４】
このうち無線通信部１７は、上記無線通信部１３と基本的に同じ構成を有し、無線通信部１３と同じ帯域を利用して、配信装置３の無線通信部１３とデータの送受信を行うことができる。無線通信部１７は、図８に示されるように、無線通信部１７全体の動作を制御するＣＰＵ７０１、基本入出力プログラム及び装置識別情報を記憶したＲＯＭ７０２、ＣＰＵ７０１のワークエリアとして使用されるＲＡＭ７０３、位置情報等を送信する通信回路７０４及びアンテナ７０４ａ、有線通信部１８と信号の送受信を行うＩ／Ｆ７０８及び上記各部を電気的に接続するためのアドレスバスやデータバス等のバスライン７０９を備えている。また、無線通信部１７は、Ｉ／Ｆ７０８からコネクタ７０９ａを介して有線通信部１８と信号の送受信を行う。
【００６５】
なお、無線通信部１７においても、ＺｉｇＢｅｅ(登録商標)を利用してもよい。また、装置識別情報は、ゲートウェイ装置７（無線通信部１７）を識別するための固有の情報である。装置識別情報としては、例えば、ＭＡＣアドレスが挙げられる。
【００６６】
一方、有線通信部１８は、図８に示されるように、有線通信部１８全体の動作を制御するＣＰＵ８０１、基本入出力プログラム及びアドレス情報を記憶したＲＯＭ８０２、ＣＰＵ８０１のワークエリアとして使用されるＲＡＭ８０３、イーサネットコントローラ８０５、無線通信部１７と信号の送受信を行うＩ／Ｆ８０８ａ、ケーブル８０９を介しＬＡＮ８ｅに対しデータ（信号）の送受信を行うＩ／Ｆ８０８ｂ及び上記各部を電気的に接続するためのアドレスバスやデータバス等のバスライン８０９を備えている。
【００６７】
ここで、ＣＰＵ８０１及びイーサネットコントローラ８０５は、ＩＥＥＥ８０２．１５．４規格に準拠した通信方式（通信プロトコル）を、ＩＥＥＥ８０２．３規格に準拠した通信方式（通信プロトコル）に変換して、配信装置３から送られて来た各種データ（情報）を、イーサネット（登録商標）のパケット通信ができるように制御する。
【００６８】
さらに、アドレス情報は、ゲートウェイ装置７（有線通信部１８）を識別するための固有の情報である。アドレス情報としては、例えば、ＩＰ(Internet  Protocol)アドレスが挙げられる。なお、ＲＯＭ８０２には、ＭＡＣアドレスも記憶されているが、位置情報管理サーバ９との通信を簡単に説明するため、その説明を省略する。
【００６９】
＜位置情報管理サーバ＞
図９は、本発明の実施の形態における位置情報管理サーバ９のハードウェア構成の一例を示した図である。
【００７０】
位置情報管理サーバ９は、コンピュータによって構成されている。そして、位置情報管理サーバ９は、位置情報管理サーバ９全体の動作を制御するＣＰＵ９０１、ＩＰＬ（Initial  Program  Loader）等のＣＰＵ９０１の駆動に用いられるプログラムを記憶したＲＯＭ９０２、ＣＰＵ９０１のワークエリアとして使用されるＲＡＭ９０３、位置情報管理サーバ９用のプログラム等の各種データやアドレス情報を記憶するＨＤ９０４、ＣＰＵ９０１の制御にしたがってＨＤ９０４に対する各種データの読み出し又は書き込みを制御するＨＤＤ９０５、フラッシュメモリ等の記録メディア９０６に対するデータの読み出し又は書き込み（記憶）を制御するメディアドライブ９０７、カーソル、メニュー、ウィンドウ、文字又は画像等の各種情報を表示するディスプレイ９０８、ネットワーク８９２及びネットワーク８９３を利用してデータ通信するためのネットワークＩ／Ｆ９０９、文字、数値、各種指示等の入力のための複数のキーを備えたキーボード９１１、各種指示の選択や実行、処理対象の選択、カーソルの移動等を行うマウス９１２、着脱可能な記録媒体の一例としてのＣＤ−ＲＯＭ９１３に対する各種データの読み出し又は書き込みを制御するＣＤ−ＲＯＭドライブ９１４、無線通信を行う通信回路９１５及びアンテナ９１５ａ、外部機器を接続するための外部機器Ｉ／Ｆ９１６並びに上記各構成要素を電気的に接続するためのアドレスバスやデータバス等のバスライン９１０を備えている。
【００７１】
さらに、アドレス情報は、位置情報管理サーバ９を識別するための固有の情報である。アドレス情報としては、ＩＰアドレスが挙げられる。なお、ＲＯＭ９０２には、ＭＡＣアドレスも記憶されているが、ゲートウェイ装置７との通信を簡単に説明するため、その説明を省略する。
【００７２】
＜コンテンツ管理サーバ＞
図１０は、本発明の実施の形態におけるコンテンツ管理サーバ８のハードウェア構成の一例を示した図である。
【００７３】
コンテンツ管理サーバ８は、コンピュータによって構成されている。そして、コンテンツ管理サーバ８は、コンテンツ管理サーバ８全体の動作を制御するＣＰＵ８２１、ＩＰＬ等のＣＰＵ８２１の駆動に用いられるプログラムを記憶したＲＯＭ８２２、ＣＰＵ８２１のワークエリアとして使用されるＲＡＭ８２３、コンテンツ管理サーバ８用のプログラム等の各種データやアドレス情報を記憶するＨＤ８２４、ＣＰＵ８２１の制御にしたがってＨＤ８２４に対する各種データの読み出し又は書き込みを制御するＨＤＤ８２５、フラッシュメモリ等の記録メディア８２６に対するデータの読み出し又は書き込み（記憶）を制御するメディアドライブ８２７、カーソル、メニュー、ウィンドウ、文字又は画像等の各種情報を表示するディスプレイ８２８、ネットワーク８９２及びネットワーク８９３を利用してデータ通信するためのネットワークＩ／Ｆ８２９、文字、数値、各種指示等の入力のための複数のキーを備えたキーボード８３１、各種指示の選択や実行、処理対象の選択、カーソルの移動等を行うマウス８３２、着脱可能な記録媒体の一例としてのＣＤ−ＲＯＭ８３３に対する各種データの読み出し又は書き込みを制御するＣＤ−ＲＯＭドライブ８３４、無線通信を行う通信回路８３５及びアンテナ８３５ａ、外部機器を接続するための外部機器Ｉ／Ｆ８３６並びに上記各構成要素を電気的に接続するためのアドレスバスやデータバス等のバスライン８３０を備えている。
【００７４】
さらに、アドレス情報は、コンテンツ管理サーバ８を識別するための固有の情報である。アドレス情報としては、ＩＰアドレスが挙げられる。なお、ＲＯＭ８２２には、ＭＡＣアドレスも記憶されている。
【００７５】
＜携帯端末＞
図１１は、本発明の実施の形態における携帯端末４のハードウェア構成の一例を示した図である。携帯端末４には通信端末５が外部に取り付けられている。但し、通信端末５が携帯端末４に内蔵されている構成でもよい。
【００７６】
携帯端末４は、携帯端末４全体の動作を制御するＣＰＵ４２１、基本入出力プログラムを記憶したＲＯＭ４２２、ＣＰＵ４２１のワークエリアとして使用されるＲＡＭ４２３、ＣＰＵ４２１の制御にしたがってデータの読み出し又は書き込みを行うＥＥＰＲＯＭ４２４、ＣＰＵ４２１の制御に従って被写体を撮像し画像データを得るＣＭＯＳ（Complementary  Metal  Oxide  Semiconductor）センサ４２５、地磁気を検知する電子磁気コンパスやジャイロコンパスや加速度センサ等の各種加速度・方位センサ４２６、フラッシュメモリ等の記録メディア４２７に対するデータの読み出し又は書き込み（記憶）を制御するメディアドライブ４２８を備えている。そして、メディアドライブ４２８の制御に従って、既に記録されていたデータが読み出され又は新たにデータが書き込まれて記憶する記録メディア４２７が着脱自在な構成となっている。
【００７７】
なお、ＥＥＰＲＯＭ４２４には、ＣＰＵ４２１が実行するオペレーティングシステム（ＯＳ）、その他のプログラム及び各種データが記憶されている。また、ＣＭＯＳセンサ４２５は、光を電荷に変換して被写体の画像を電子化する電荷結合素子であり、被写体を撮像することができれば、ＣＭＯＳセンサに限らず、ＣＣＤ（Charge  Coupled  Device）センサであってもよい。
【００７８】
さらに、携帯端末４は、音声を音声信号に変換する音声入力部４３１、音声信号を音声に変換する音声出力部４３２、アンテナ４３３ａ、このアンテナ４３３ａを利用して無線通信信号により、最寄りの基地局と通信を行う通信部４３３、アクセスポイントとＩＥＥＥ８０２．１１規格に準拠する無線ＬＡＮ通信を行う無線ＬＡＮ通信部４３４、ＧＰＳ衛星からＧＰＳ信号を受信するＧＰＳ受信部４３５、被写体の画像や各種アイコン等を表示する液晶や有機ＥＬ等のディスプレイ４３６、このディスプレイ４３６上に載せられ、感圧式又は静電式のパネルによって構成され、指やタッチペン等によるタッチによってディスプレイ４３６上におけるタッチ位置を検出するタッチパネル４３７及び上記各部を電気的に接続するためのアドレスバスやデータバス等のバスライン４３０を備えている。また、携帯端末４は、専用の電池４３８も設けられており、この電池４３８によって駆動される。なお、音声入力部４３１は、音声を入力するマイクが含まれ、音声出力部４３２には、音声を出力するスピーカが含まれている。
【００７９】
＜コンテンツ出力装置（プロジェクタ）＞
図１２は、本発明の実施の形態におけるプロジェクタ６ａであるコンテンツ出力装置６のハードウェア構成の一例を示した図である。プロジェクタ６ａには通信端末５が外部に取り付けられている。但し、通信端末５がプロジェクタ６ａに内蔵されている構成でもよい。
【００８０】
コンテンツ出力装置６は、コンテンツ出力装置６全体の動作を制御するＣＰＵ６０１、基本入出力プログラムを記憶したＲＯＭ６０２、ＣＰＵ６０１のワークエリアとして使用されるＲＡＭ６０３、フラッシュメモリ等の記録メディア６０４に対するデータの読み出し又は書き込み（記憶）を制御するメディアドライブ６０５を備えている。そして、メディアドライブ６０５の制御に従って、既に記録されていたデータが読み出され又は新たにデータが書き込まれて記憶する記録メディア６０４が着脱自在な構成となっている。
【００８１】
さらに、コンテンツ出力装置６は、ＩＥＥＥ８０２．１１規格に準拠する無線ＬＡＮ通信を行う無線ＬＡＮ通信部６０６、光を透過させることで画像を出力する液晶パネル６０７、ユーザに対する情報を表示する液晶や有機ＥＬ等のディスプレイ６０８、ユーザからの入力を受け付けるインタフェースであるハードボタンやリモコン、ソフトキー等の入力部６０９、電気信号を音に変換し音声出力に用いられるスピーカ６１０及び上記各部を電気的に接続するためのアドレスバスやデータバス等のバスライン６１１を備えている。なお、無線ＬＡＮ通信に用いられるＩＰアドレスはＲＡＭ６０３に記憶され、コンテンツ出力装置６のＭＡＣアドレスはＲＯＭ６０２に記憶されている。
【００８２】
＜コンテンツ出力装置（ＭＦＰ）＞
図１３は、本発明の実施の形態におけるＭＦＰ６ｂであるコンテンツ出力装置６のハードウェア構成の一例を示した図である。ＭＦＰ６ｂには通信端末５が外部に取り付けられている。但し、通信端末５がＭＦＰ６ｂに内蔵されている構成でもよい。
【００８３】
ＭＦＰ６ｂは、操作パネル６２８と、記憶メディアＩ／Ｆ６２５と、コントローラ６２１と、データ通信Ｉ／Ｆ６３３と、ＨＤＤ６３５と、スキャナ６３６と、プロッタ６３１とを有し、それぞれバス６３８で相互に接続されている。
【００８４】
操作パネル６２８は、入力装置６３０と表示装置６２９とを有しており、入力装置６３０は、ハードウェアキー等で構成され、ＭＦＰ６ｂに各操作信号を入力するのに用いられる。また、表示装置６２９は、ディスプレイ等で構成され、例えば画像形成動作に関する各種情報を表示する。データ通信Ｉ／Ｆ６３３は、インタフェース装置６３４を有しており、ＭＦＰ６ｂをネットワーク等のデータ伝送路に接続するインタフェースである。ＨＤＤ６３５は、ＭＦＰ６ｂで取り扱われる受信文書データや読み取り画像データ等の各種データを格納している。また、ＨＤＤ６３５は、これらの各種データを、所定のファイルシステムやＤＢ（Data  Base）により管理している。
【００８５】
上記ＨＤＤ６３５に格納される各種データの中には、例えば、スマートフォンやデジタルカメラ等の外部機器によって記録された電子データも含まれる。このような場合には、ＳＤカード等の記録媒体６２７によってＭＦＰ６ｂに提供されたり、データ伝送路であるネットワーク等を通じてアップロードされたりする。記録媒体６２７は、記憶メディアＩ／Ｆ６２５が有するドライブ装置６２６にセットされ各種データが記録媒体６２７からドライブ装置６２６を介してＨＤＤ６３５に格納される。
【００８６】
コントローラ６２１は、ＲＯＭ６２４、ＲＡＭ６２３及びＣＰＵ６２２を有しており、ＲＯＭ６２４は、ＭＦＰ６ｂが起動されるときに実行されるプログラムや各種データを格納している。また、ＲＡＭ６２３は、ＲＯＭ６２４やＨＤＤ６３５から読み出された各種プログラムやデータを一時保持する。さらに、ＣＰＵ６２２は、ＲＡＭ６２３が一時保持しているプログラムを実行する。コントローラ６２１は、例えば、データ通信Ｉ／Ｆ６３３を介して印刷データを受信した場合に、ＲＯＭ６２４からＲＡＭ６２３上に読み出されたＰＤＬを解釈可能なプログラム（ＰＤＬパーサ）をＣＰＵ６２２により実行し、印刷データを解釈してビットマップイメージを生成する。
【００８７】
スキャナ６３６は、画像読取装置６３７を有しており、読み取り面に配置された原稿を光学的に読み取り画像データを生成する。プロッタ６３１は、印刷装置６３２を有しており、例えば、電子写真プロセス方式によってビットマップイメージを記録紙に印刷する。
【００８８】
このようにＭＦＰ６ｂは、上記ハードウェア構成により、コピー、プリンタ、ファクシミリ、スキャナ等の複数の機能を実現している。
【００８９】
[機能構成]
図１４は、本発明の実施の形態における配信装置３及び通信端末５の機能構成の一例を示す図である。
【００９０】
＜配信装置＞
まず配信装置３の機能構成を説明する。図１４に示されるように、配信装置３は、機能又は手段として、変換部１０、配信制御部２０、無線通信制御部３０を有する。
【００９１】
このうち変換部１０は、図６に示される電圧変換器１００が動作することによって実現される機能又は手段である。配信制御部２０は、図６に示される制御部１１及び位置情報配信部１２が動作することによって実現される機能又は手段である。さらに、無線通信制御部３０は、図６に示される制御部１１及び無線通信部１３が動作することによって実現される機能又は手段である。
【００９２】
配信制御部２０は、図６に示されるＲＯＭ２０２により構築される記憶部２９を有する。この記憶部２９には、配信装置３が設置されている位置を示す位置情報が記憶されている。さらに、配信制御部２０は、配信部２１、通信部２７及び記憶・読出部２８を有する。
【００９３】
このうち配信部２１は、図６に示されるＣＰＵ２０１及び通信回路２０４の処理によって実現され、配信可能な範囲内に位置情報を配信する。
【００９４】
通信部２７は、図６に示されるＣＰＵ１０１・２０１の処理、並びにＩ／Ｆ１０８ａ・２０８及びバス１０９・２０９によって実現され、無線通信制御部３０とのデータ（信号）の通信を行う。
【００９５】
記憶・読出部２８は、図６に示されるＣＰＵ１０１及びＣＰＵ２０１の処理によって実現され、記憶部２９に各種データを記憶し、記憶部２９から各種データを読み出す。記憶・読出部２８は、例えば、位置情報のデータの記憶や読み出しを行う。
【００９６】
無線通信制御部３０は、図６に示されるＲＡＭ３０３によって構築される記憶部３９を有している。この記憶部３９には、アドレス情報（例えばＩＰアドレス）が記憶されている。
【００９７】
送受信部３１は、図６に示されるＣＰＵ３０１及び通信回路３０４の処理によって実現され、無線通信によって、通信端末５又はゲートウェイ装置７と各種データの送受信を行う。
【００９８】
通信部３７は、図６に示されるＣＰＵ１０１・３０１の処理並びにＩ／Ｆ１０８Ｂ・３０８及びバス１０９・３０９によって実現され、配信制御部２０とのデータ（信号）の通信を行う。
【００９９】
記憶・読出部３８は、記憶部３９に各種データを記憶し、記憶部３９から各種データを読み出す。
【０１００】
＜通信端末＞
次に、通信端末５の機能構成を説明する。図１４に示されるように、通信端末５は、機能又は手段として、受信制御部４０及び無線通信制御部５０を有している。
【０１０１】
受信制御部４０は、図３に示されるＲＡＭ４０３によって構築される記憶部４９を有する。記憶部４９には、配信装置３から配信された位置情報を記憶できる。さらに、受信制御部４０は、受信部４１、検知部４２、判断部４３、測定部４４、通信部４７及び記憶・読出部４８を有する。
【０１０２】
このうち受信部４１は、図３に示されるＣＰＵ４０１及び通信回路４０４の処理によって実現され、配信装置３から配信された位置情報を受信する。また、受信部４１は、位置情報を受信可能な状態になったり受信不可能な状態になったりする。
【０１０３】
検知部４２は、図３に示されるＣＰＵ４０１及び加速度センサ４０５の処理によって実現され、通信端末５の移動（傾きを含む）を検知し、受信部４１に処理を開始させる。なお、検知部４２は、加速度センサ４０５に代えて、慣性力や磁気を用いたモーションセンサによって実現してもよい。
【０１０４】
判断部４３は、図３に示されるＣＰＵ４０１の処理によって実現され、受信部４１によって、少なくとも一つの位置情報を受信したかを判断する。さらに、判断部４３は、受信部４１によって、複数の配信装置３からそれぞれの位置情報を受信したかを判断する。なお、この場合、同じ配信装置３から配信された位置情報は、所定時間内に複数回受信しても一つとして扱う。
【０１０５】
測定部４４は、図３に示されるＣＰＵ４０１の処理によって実現され、判断部４３によって、複数の配信装置３から、それぞれの位置情報を受信したと判断された場合には、それぞれの位置情報に係る信号強度を測定する。
【０１０６】
通信部４７は、図３に示されるＣＰＵ４０１の処理並びにＩ／Ｆ４０８及びバス４０９によって実現され、無線通信制御部５０とのデータ（信号）の通信を行う。
【０１０７】
記憶・読出部４８は、ＣＰＵ４０１の処理によって実現され、記憶部４９に各種データを記憶し、記憶部４９から各種データを読み出す。記憶・抽出部４８は、例えば、位置情報のデータの記憶や読み出しを行う。
【０１０８】
無線通信制御部５０は、図３に示されるＲＡＭ５０３によって構築される記憶部５９を有する。この記憶部５９には、識別情報（例えばＭＡＣアドレス等）が記憶されている。さらに、無線通信制御部５０は、送受信部５１、判断部５３、測定部５４、通信部５７及び記憶・読出部５８を有する。
【０１０９】
送受信部５１は、図３に示されるＣＰＵ５０１及び通信回路５０４の処理によって実現され、無線通信により、配信装置３と各種データの送受信を行う。
【０１１０】
判断部５３は、図３に示されるＣＰＵ５０１の処理によって実現され、受信部５１によって、少なくとも一つの配信装置３の装置識別情報を受信したかを判断する。さらに、判断部５３は、受信部５１によって、複数の配信装置３からそれぞれの装置識別情報を受信したかを判断する。なお、この場合、同じ配信装置３から送信された装置識別情報は、所定時間内に何度受信しても一つとして扱う。
【０１１１】
測定部５４は、図３に示されるＣＰＵ５０１の処理によって実現され、判断部５３によって、複数の配信装置３から送信されたそれぞれの装置識別情報を受信したと判断された場合には、それぞれの装置識別情報に係る信号強度を測定する。
【０１１２】
通信部５７は、図３に示されるＣＰＵ５０１の処理並びにＩ／Ｆ５０８及びバス５０９によって実現され、受信制御部４０とのデータ（信号）の通信を行う。
【０１１３】
記憶・読出部５８は、図３に示されるＣＰＵ５０１の処理によって実現され、記憶部５９に各種データを記憶し、記憶部５９から各種データを読み出す。記憶・抽出部５８は、例えば、配信装置３の装置識別情報や通信端末５の識別情報のデータの記憶や読み出しを行う。
【０１１４】
図１５は、本発明の実施の形態におけるゲートウェイ装置７及び位置情報管理サーバ９の機能構成の一例を示す図である。
【０１１５】
＜ゲートウェイ装置＞
ゲートウェイ装置７の機能構成を説明する。ゲートウェイ装置７は、機能又は手段として、無線通信制御部７０及び有線通信制御部８０を有している。
【０１１６】
無線通信制御部７０は、図８に示される無線通信部１７の処理によって実現され、基本的に配信装置３の無線通信制御部３０と同様の機能を有している。
【０１１７】
具体的には、無線通信制御部７０は、図８に示されるＲＡＭ７０３によって構築される記憶部７９を有している。この記憶部７９には、ゲートウェイ装置７のアドレス情報（例えばＩＰアドレス）が記憶されている。また、無線通信制御部７０は、送受信部７１、通信部７７及び記憶・読出部７８を有している。
【０１１８】
このうち送受信部７１は、図８に示されるＣＰＵ７０１及び通信回路７０４の処理によって実現され、無線通信によって、配信装置３と各種データの送受信を行う。
【０１１９】
通信部７７は、ＣＰＵ７０１の処理並びにＩ／Ｆ７０８及びバス７０９によって実現され、有線通信制御部８０とのデータ（信号）の通信を行う。
【０１２０】
記憶・読出部７８は、ＣＰＵ８０１の処理によって実現され、記憶部７９に各種データを記憶し、記憶部７９から各種データを読み出す。
【０１２１】
有線通信制御部８０は、図８に示される有線通信部１８の処理によって実現される。この有線通信制御部８０は、図８に示されるＲＡＭ８０３によって構築される記憶部８９を有している。この記憶部８９には、ゲートウェイ装置７の装置識別情報（例えばＭＡＣアドレス）が記憶されている。さらに、有線通信制御部８０は、送受信部８１、変換部８２、通信部８７及び記憶・読出部８８を有している。
【０１２２】
このうち送受信部８１は、図８に示されるＣＰＵ８０１の処理及びＩ／Ｆ８０８ｂによって実現され、有線通信によって、位置情報管理サーバ９と各種データの送受信を行う。
【０１２３】
変換部８２は、図８に示されるＣＰＵ８０１及びイーサネットコントローラ８０５の処理によって実現される。変換部８２は、上述したように通信方式を変換することで、配信装置３から送られて来た各種データ（情報）を、イーサネット（登録商標）のパケット通信ができるように制御する。
【０１２４】
通信部８７は、ＣＰＵ８０１の処理並びにＩ／Ｆ８０８ａ及びバス８０９によって実現され、無線通信制御部７０とのデータ（信号）の通信を行う。
【０１２５】
記憶・読出部９８は、ＣＰＵ８０１の処理によって実現され、記憶部８９に各種データを記憶し、記憶部８９から各種データを読み出す。
【０１２６】
＜位置情報管理サーバ＞
次に、位置情報管理サーバ９の機能構成を説明する。位置情報管理サーバ９は、送受信部９１、操作入力受付部９２、端末位置情報応答部９３、表示制御部９４、端末検索応答部９５、記憶・読出部９８及び記憶部９９を有する。
【０１２７】
記憶部９９は図９に示されるＲＡＭ９０３及びＨＤ９０４によって構築され、位置情報記憶部９９１及びサーバ情報記憶部９９２が含まれる。
【０１２８】
位置情報記憶部９９１は、通信端末５から送信される位置情報等を記憶する。
【０１２９】
図１６は、本発明の実施の形態における位置情報管理サーバ９の位置情報記憶部９９１に記憶される情報の一例を示す図である。図１６に示されるように、位置情報記憶部９９１には「管理ＩＤ」、「識別情報」、「緯度」、「経度」、「階数」、「棟」及び「受信日時」等が含まれる。「管理ＩＤ」は位置情報記憶部９９１において通信端末５の位置情報を一意に識別するための管理番号である。「識別情報」は通信端末５を識別するための情報であり、例えば通信端末５のＭＡＣアドレスである。「識別情報」は通信端末５から送信される。「緯度」、「経度」、「階数」及び「棟」は、本発明の実施の形態における位置情報であり、図７に示される情報である。「受信日時」は、位置情報管理サーバ９がゲートウェイ装置７から位置情報を受信した受信日時である。
【０１３０】
図１５に戻り説明する。サーバ情報記憶部９９２は、位置情報管理サーバ９のアドレス情報（例えばＩＰアドレス）や識別情報（例えばＭＡＣアドレス）等が記憶されている。
【０１３１】
送受信部９１は、図９に示されるＣＰＵ９０１の処理並びにネットワークＩ／Ｆ９０９又は通信回路９１５によって実現され、有線通信又は無線通信によって、ゲートウェイ装置７又はコンテンツ管理サーバ８と各種データの送受信を行う。
【０１３２】
操作入力受付部９２は、図９に示されるＣＰＵ９０１の処理並びにキーボード９１１及びマウス９１２によって実現され、管理者から各種の選択又は入力を受け付ける。
【０１３３】
端末位置情報応答部９３は、コンテンツ管理サーバ８から送信される通信端末５の位置情報を取得するための通信端末位置情報取得要求を受け付け、応答する。通信端末位置情報取得要求には、通信端末５の識別情報が含まれており、端末位置情報応答部９３は位置情報記憶部９９１からその通信端末５の識別情報に対応する位置情報（緯度、経度、階数、棟）を取得する。そして、端末位置情報応答部９３は、通信端末５の位置情報を含む通信端末位置情報取得要求応答を生成し、送受信部９１を介しコンテンツ管理サーバ８に送信する。なお、端末位置情報応答部９３は、例えば通信端末位置情報取得要求を受信した時刻と、それに含まれる通信端末５の識別情報に対応する位置情報記憶部９９１の中の受信日時との差が所定の時間（例えば３０分）以上である場合は、通信端末位置情報取得要求応答に通信端末５の位置情報を設定しなかったり、位置情報の取得不可を示す情報を含めたりしてもよい。このような場合は通信端末５の現在の実際の位置が位置情報記憶部９９１に反映されていない可能性があるからである。
【０１３４】
端末検索応答部９５は、コンテンツ管理サーバ８から送信されるエリアに位置する通信端末５を検索するための通信端末検索要求を受け付け、検索した通信端末５の識別情報を応答する。通信端末検索要求にはエリアの領域を定義する位置情報が含まれており、端末検索応答部９５は位置情報記憶部９９１からそのエリアの領域内に位置する通信端末５の識別情報を検索する。そして、端末検索応答部９５は、通信端末５の識別情報及び位置情報を含む通信端末検索要求応答を生成し、送受信部９１を介しコンテンツ管理サーバ８に送信する。なお、端末検索応答部９５は、例えば通信端末検索要求を受信した時刻と、それに含まれる通信端末５の識別情報に対応する位置情報記憶部９９１の中の受信日時との差が所定の時間（例えば３０分）以上である場合は、通信端末検索要求応答に通信端末５の識別情報を設定しなかったり、通信端末５の識別情報の取得不可を示す情報を含めたりしてもよい。このような場合は通信端末５の実際の現在位置が位置情報記憶部９９１に反映されていない可能性があるからである。
【０１３５】
表示制御部９４は、図９に示されるＣＰＵ９０１の処理によって実現され、ディスプレイ９０８に各種画像や文字等を表示させるための制御を行う。
【０１３６】
記憶・読出部９８は、図９に示されるＣＰＵ９０１の処理によって実現され、記憶部９９に各種データを記憶し、記憶部９９から各種データを読み出す。
【０１３７】
図１７は、本発明の実施の形態における携帯端末４、コンテンツ管理サーバ８及びコンテンツ出力装置６（ＭＦＰ６ｂ）の機能構成の一例を示す図である。
【０１３８】
＜携帯端末＞
携帯端末４の機能構成を説明する。携帯端末４は、送受信部４４１、表示制御部４４２、操作入力受付部４４４、印刷要求部４４５、印刷要求応答受付部４４６、記憶・読出部４４８及び記憶部４４９を有する。上記機能のうち印刷要求部４４５及び印刷要求応答受付部４４６は、携帯端末４が有する印刷指示アプリ４５０に含まれる。
【０１３９】
送受信部４４１は、図１１に示されるＣＰＵ４２１の処理並びに無線ＬＡＮ通信部４３４によって実現され、無線通信によりコンテンツ管理サーバ８と各種データの送受信を行う。なお、送受信部４４１は、コンテンツ出力装置６がイーサネットカードを備え、ネットワーク８９３が有線ＬＡＮである場合はイーサネット（登録商標）によりデータの送受信を行う。
【０１４０】
表示制御部４４２は、図１１に示されるＣＰＵ４２１の処理によって実現され、ディスプレイ４３６に各種画像や文字等を表示させるための制御を行う。
【０１４１】
操作入力受付部４４４は、図１１に示されるＣＰＵ４２１の処理及びタッチパネル４３７によって実現され、携帯端末４のユーザから各種の選択又は入力を受け付ける。
【０１４２】
記憶部４４９は、携帯端末４の識別情報（例えばＭＡＣアドレス）や他の装置との通信に用いるアドレス情報（例えばＩＰアドレス）等を記憶する。
【０１４３】
記憶・読出部４４８は、図１１に示されるＣＰＵ４２１の処理によって実現され、記憶部６９に各種データを記憶し、記憶部６９から各種データを読み出す。
【０１４４】
印刷指示アプリ４５０は、携帯端末４に予めインストールされており、コンテンツ管理サーバ８を利用して、ＭＦＰ６ｂに印刷コンテンツを出力させるためのアプリケーションである。印刷指示アプリ４５０が起動されると、タッチパネル４３７に図１８に示すような印刷指示画面が表示される。図１８は、本発明の実施の形態における印刷指示アプリ４５０の印刷指示画面の一例を示す図である。図１８に示されるように、印刷指示画面には「ちらし」ボタン４５０１及び「キャンセル」ボタン４５０２が含まれる。「ちらし」ボタン４５０１は、ＭＦＰ６ｂにより印刷コンテンツを印刷するときにユーザにより押下（タッチ操作）されるボタンである。「キャンセル」ボタン４５０２は、印刷指示をせず、印刷指示画面を閉じるときにユーザにより押下されるボタンである。また、ＭＦＰ６ｂにおいて印刷が完了すると、コンテンツ管理サーバ８から送信される情報に基づき、タッチパネル４３７に図１９に示すような印刷結果通知画面が表示される。図１９は、本発明の実施の形態における印刷指示アプリ４５０の印刷結果通知画面の一例を示す図である。図１９（ａ）に印刷が完了した場合に表示される印刷結果通知画面を示す。図１９（ａ）の場合の印刷結果通知画面には、印刷完了通知情報４５０３及び「確認」ボタン４５０４が含まれる。印刷完了通知情報４５０３には、印刷先のＭＦＰ名及び印刷されたコンテンツの名称が含まれる。「確認」ボタン４５０４は、印刷完了通知をユーザが確認したときにユーザにより押下されるボタンであり、押下されると印刷結果通知画面が閉じられる。図１９（ｂ）に印刷ができなかった場合に表示される印刷結果通知画面を示す。図１９（ｂ）の場合の印刷完了通画面には、印刷不完了通知情報４５０５及び「確認」ボタン４５０４が含まれる。印刷不完了通知情報４５０５には、印刷できなかった印刷先のＭＦＰ名及び印刷されたコンテンツの名称が含まれる。図１９（ｂ）に示される「確認」ボタン４５０４は、図１９（ａ）に示すものと同じである。
【０１４５】
図１７に戻り説明する。
【０１４６】
印刷指示アプリ４５０に含まれる印刷要求部４４５は、ユーザにより印刷指示画面に表示された「ちらし」ボタン４５０１が押下されると、携帯端末４の識別情報を含む印刷要求を生成する。そして、印刷要求部４４５は、生成した印刷要求を、送受信部４４１を介してコンテンツ管理サーバ８に送信する。
【０１４７】
印刷要求応答受付部４４６は、ＭＦＰ６ｂにおける印刷実行結果が示される印刷要求応答を、送受信部４４１を介して受け付けると、印刷要求応答に含まれる印刷先ＭＦＰ名及び印刷されたコンテンツの名称が含まれる印刷結果通知画面を生成する。そして、印刷要求応答受付部４４６は、表示制御部４４２を介して、タッチパネル４３７に生成した印刷結果通知画面を表示する。
【０１４８】
＜コンテンツ管理サーバ＞
コンテンツ管理サーバ８の機能構成を説明する。コンテンツ管理サーバ８は、送受信部８４１、印刷要求受付部８４２、印刷要求応答部８４３、端末位置情報取得部８４４、エリア特定部８４５、端末検索部８４６、出力装置・コンテンツ特定部８４７、記憶・読出部８４８、コンテンツ配信部８４９及び記憶部８５０を有する。記憶部８５０には、コンテンツ配信状況記憶部８５０１、コンテンツ情報記憶部８５０２、エリア情報記憶部８５０３、通信端末関連情報記憶部８５０４及びコンテンツデータ記憶部８５０５等が含まれる。
【０１４９】
コンテンツ配信状況記憶部８５０１は、コンテンツ管理サーバ８から配信されたコンテンツの配信状況を記憶する。配信状況とは、配信されたコンテンツ名、配信先であるコンテンツ出力装置６の名称、コンテンツが配信された日時に関する情報である。
【０１５０】
図２０は、本発明の実施の形態におけるコンテンツ管理サーバ８のコンテンツ配信状況記憶部８５０１に記憶される情報の一例を示す図である。図２０に示されるように、コンテンツ配信状況記憶部８５０１には、「ＩＤ」、「コンテンツ名」、「配信年月日」、「配信時刻」及び「配信先出力装置識別情報」等が含まれる。
【０１５１】
「ＩＤ」は、コンテンツ配信状況記憶部８５０１において配信時刻毎の投影コンテンツを一意に識別するための管理番号である。
【０１５２】
「コンテンツ名」は、コンテンツ出力装置６に配信されたコンテンツの名称である。「コンテンツ名」は、任意に設定可能である。
【０１５３】
「配信年月日」及び「配信時刻」は、コンテンツの配信先のコンテンツ出力装置６（プロジェクタ６ａ）に配信された年月日及び日時分秒である。
【０１５４】
「配信先出力装置識別情報」は、コンテンツの配信先のコンテンツ出力装置６（プロジェクタ６ａ）の識別情報（例えばＭＡＣアドレス）である。
【０１５５】
コンテンツ配信状況記憶部８５０１に記憶される情報は、コンテンツ管理サーバ８からコンテンツが配信された時に設定される。
【０１５６】
図１７に戻り説明する。コンテンツ情報記憶部８５０２は、プロジェクタ６ａにおいて出力（投影）される投影コンテンツと、ＭＦＰ６ｂにおいて出力（印刷）される印刷コンテンツとを対応付けて記憶する。
【０１５７】
図２１は、本発明の実施の形態におけるコンテンツ管理サーバ８のコンテンツ情報記憶部８５０２に記憶される情報の一例を示す図である。図２１に示されるように、コンテンツ情報記憶部８５０２には、「ＩＤ」、「投影コンテンツ名」及び「印刷コンテンツ名」等が含まれる。
【０１５８】
「ＩＤ」は、コンテンツ情報記憶部８５０２において各コンテンツを一意に識別するための管理番号である。
【０１５９】
「投影コンテンツ名」は、プロジェクタ６ａであるコンテンツ出力装置６において出力されるコンテンツの名称である。「投影コンテンツ名」は、任意に設定可能である。
【０１６０】
「印刷コンテンツ名」は、ＭＦＰ６ｂであるコンテンツ出力装置６において出力されるコンテンツの名称である。「印刷コンテンツ名」は、任意に設定可能である。
【０１６１】
「投影コンテンツ名」と「印刷コンテンツ名」とは、例えば両者が「商品Ａ」に関するコンテンツであるようなある関連性を有するように対応付けられる。なお、コンテンツ情報記憶部８５０２に記憶される情報は、管理者等により予め設定される。
【０１６２】
図１７に戻り説明する。エリア情報記憶部８５０３は、屋内の領域であるエリアを定義する位置情報を記憶する。
【０１６３】
図２２は、本発明の実施の形態におけるコンテンツ管理サーバ８のエリア情報記憶部８５０３に記憶される情報の一例を示す図である。図２２に示されるように、エリア情報記憶部８５０３には、「エリアＩＤ」、「エリア名」、「棟」、「階数」、「東端」、「西端」、「南端」、「北端」が含まれる。
【０１６４】
「エリアＩＤ」は、エリア情報記憶部８５０３においてエリア名及びそのエリアの位置情報を一意に識別するための管理番号である。
【０１６５】
「エリア名」は、エリアの名称である。「エリア名」は管理者等により任意に設定変更が可能である。
【０１６６】
「棟」は、エリアが属する建物の棟の名称である。
【０１６７】
「階数」は、エリアが属する建物内の階数である。
【０１６８】
「東端」及び「西端」は、エリアの東側と西側との境界線を経度（東経）で表したものである。「南端」及び「北端」は、区域の南側と北側との境界線を緯度（北緯）で表したものである。すなわち、エリアの範囲は矩形で定義され得る。
【０１６９】
図２２の例では、エリアＩＤ「１」に対応するエリア名「展示会場スペースＡ」は、北緯「３５．５０４０３」から北緯「３５．５０４５４」、東経「１３９．６２００３」から東経「１３９．６２１０２」の４つの線に囲まれた範囲であって、「Ｙ」棟の「１」階であることを示す。
【０１７０】
なお、本発明の実施の形態におけるエリアの位置（範囲）の定義は、上記の方法に限らず、例えば、複数の緯度及び経度を用いて５つ以上の辺を有する多角形等によって、エリアの範囲を定義してもよい。また、その他の方法として、エリアの範囲内に設置される配信装置３の位置情報に基づき、その位置情報に対応する複数の点（緯度、経度）によりエリアの範囲を定義してもよい。また、エリア情報記憶部８５０３に記憶される情報は、予め管理者等により設定され、エリアの追加や変更時に情報は変更される。
【０１７１】
図１７に戻り説明する。通信端末関連情報記憶部８５０４は、通信端末５とその通信端末５が取り付けられた携帯端末４及びコンテンツ出力装置６とを関連付けて記憶する。
【０１７２】
図２３は、本発明の実施の形態におけるコンテンツ管理サーバ８の通信端末関連情報記憶部８５０４に記憶される情報の一例を示す図である。図２３に示されるように、通信端末関連情報記憶部８５０４には、「ＩＤ」、「携帯端末・出力装置識別情報」、「カテゴリ」及び「携帯端末・出力装置名」等が記憶されている。
【０１７３】
「ＩＤ」は、通信端末関連情報記憶部８５０４において通信端末５と、通信端末５が取り付けられた携帯端末４及びコンテンツ出力装置６とを一意に識別するための管理番号である。
【０１７４】
「通信端末識別情報」は、通信端末５を一意に識別するための識別情報（例えばＭＡＣアドレス等）である。
【０１７５】
「携帯端末・出力装置識別情報」は、携帯端末４及びコンテンツ出力装置６を一意に識別するための識別情報（例えばＭＡＣアドレス等）であり、取り付けられた通信端末５の識別情報に対応付けて記憶される。
【０１７６】
「カテゴリ」は、通信端末５が取り付けられた機器のカテゴリであって、「プロジェクタ」、「ＭＦＰ」、「携帯端末」のように分類される。
【０１７７】
「携帯端末・出力装置名」は、携帯端末４又はコンテンツ出力装置６の名称であって、任意に設定可能である。
【０１７８】
なお、通信端末関連情報記憶部８５０４に記憶される情報は、予め管理者等により設定される。
【０１７９】
図１７に戻り説明する。コンテンツデータ記憶部８５０５は、コンテンツ名とコンテンツデータの保存先アドレスとを対応付けて記憶する。
【０１８０】
図２４は、本発明の実施の形態におけるコンテンツ管理サーバ８のコンテンツデータ記憶部８５０５に記憶される情報の一例を示す図である。図２４に示されるように、コンテンツデータ記憶部８５０５には、「ＩＤ」、「コンテンツ名」及び「データ保存先アドレス」等が記憶されている。
【０１８１】
「ＩＤ」はコンテンツデータ記憶部８５０５においてコンテンツ（「コンテンツ名」）を一意に識別するための管理番号である。
【０１８２】
「コンテンツ名」は、コンテンツ出力装置６において出力されるコンテンツの名称である。「コンテンツ名」は、任意に設定可能なコンテンツの名称である。
【０１８３】
「データ保存先アドレス」は、コンテンツのファイル本体が格納されている場所（アドレス）を示す情報である。なお、コンテンツのファイル本体が格納されている場所は、コンテンツ管理サーバ８内の記憶装置に限らず、コンテンツ管理サーバ８以外の他のサーバや外部記録媒体等であってもよい。図２４の例ではＩＤ「１」〜「３」のコンテンツの保存先はコンテンツ管理サーバ８としているが、ＩＤ「４」、「５」のコンテンツの保存先は他のサーバであることを示している。
【０１８４】
図１７に戻り説明する。
【０１８５】
記憶・読出部８４８は、ＣＰＵ８２１の処理によって実現され、記憶部８５０に各種データを記憶し、記憶部８５０から各種データを読み出す。
【０１８６】
送受信部８４１は、ＣＰＵ８２１の処理並びにネットワークＩ／Ｆ８２９又は通信回路８３５によって実現され、有線通信又は無線通信によって、携帯端末４、コンテンツ出力装置６又は位置情報管理サーバ９と各種データの送受信を行う。
【０１８７】
印刷要求受付部８４２は、携帯端末４から送信される印刷要求を、送受信部８４１を介して受け付ける。印刷要求受付部８４２は、印刷要求に含まれる携帯端末４の識別情報を端末位置情報取得部８４４に通知する。また、印刷要求受付部８４２は、ＭＦＰ６ｂへの印刷実行結果を含む印刷要求応答を、携帯端末４に送信する。
【０１８８】
端末位置情報取得部８４４は、印刷要求受付部８４２から通知された印刷要求に含まれる携帯端末４の識別情報に基づき、通信端末関連情報記憶部８５０４から携帯端末４に対応する通信端末５の識別情報（通信端末識別情報）を取得する。次に、端末位置情報取得部８４４は、識別情報を取得した通信端末５の位置情報を取得するための通信端末位置情報取得要求を位置情報管理サーバ９に、送受信部８４１を介して送信する。そして、端末位置情報取得部８４４は、位置情報管理サーバ９から通信端末５の位置情報を取得すると、エリア特定部８４５に取得した通信端末５の位置情報を通知する。
【０１８９】
エリア特定部８４５は、携帯端末４が位置するエリアを特定する。具体的には、エリア特定部８４５は、端末位置情報取得部８４４から通知された通信端末５の位置情報に基づき、エリア情報記憶部８５０３から、通信端末５の位置するエリアを特定する。ここで端末位置情報取得部８４４から位置情報が通知された通信端末５は、携帯端末４に取り付けられていることから、特定したエリアは携帯端末４が位置するエリアである。そして、エリア特定部８４５は、特定したエリアに対応する位置情報（棟、階数、東端、西端、南端、北端）を端末検索部８４６に通知する。
【０１９０】
端末検索部８４６は、エリア特定部８４５から通知されたエリア内に位置する他の通信端末５を検索する。具体的には、端末検索部８４６は、エリアの位置情報が含まれる通信端末検索要求を生成し、生成した通信端末検索要求を、送受信部８４１を介し位置情報管理サーバ９に送信する。そして、端末検索部８４６は、位置情報管理サーバ９から通信端末５の識別情報及び位置情報を含む通信端末検索要求応答を受信すると、出力装置・コンテンツ特定部８４７に受信した通信端末５の識別情報及び位置情報を通知する。
【０１９１】
出力装置・コンテンツ特定部８４７は、端末検索部８４６から通知された通信端末５の識別情報と通信端末関連情報記憶部８５０４とに基づき、携帯端末４と同じエリアに位置するプロジェクタ６ａ及びＭＦＰ６ｂの識別情報を特定する。次に、出力装置・コンテンツ特定部８４７は、特定したプロジェクタ６ａに配信された投影コンテンツを、コンテンツ配信状況記憶部８５０１から特定する。なお、投影コンテンツが配信されている特定したプロジェクタ６ａが複数ある場合は、携帯端末４に最も近いプロジェクタ６ａに配信された投影コンテンツを特定する。そして、出力装置・コンテンツ特定部８４７は、特定された投影コンテンツに対応する印刷コンテンツを、コンテンツ情報記憶部８５０２から特定する。また、出力装置・コンテンツ特定部８４７は、特定したＭＦＰ６ｂの識別情報から携帯端末４の近くに位置するＭＦＰ６ｂを特定する。出力装置・コンテンツ特定部８４７は、特定した印刷コンテンツと特定したＭＦＰ６ｂとを印刷要求応答部８４３に通知する。
【０１９２】
印刷要求応答部８４３は、出力装置・コンテンツ特定部８４７から通知された特定した印刷コンテンツと特定したＭＦＰ６ｂとを、コンテンツ配信部８４９に通知する。また、印刷要求応答部８４３は、ＭＦＰ６ｂから送信された印刷実行結果を受け付けると、印刷実行結果を含む印刷要求応答を生成し、携帯端末４に送信する。印刷要求応答には、印刷実行結果の他にＭＦＰ６ｂの名称及び印刷コンテンツの名称が含まれる。
【０１９３】
コンテンツ配信部８４９は、印刷要求応答部８４３から通知された特定したＭＦＰ６ｂを配信先として、特定した印刷コンテンツを、送受信部８４１を介して配信する。
【０１９４】
＜コンテンツ出力装置（ＭＦＰ）＞
次に、ＭＦＰ６ｂであるコンテンツ出力装置６の機能構成を図１７により説明する。
【０１９５】
ＭＦＰ６ｂは、送受信部６１、配信コンテンツ受付部６２、印刷実行部６３、印刷実行結果通知部６４、記憶・読出部６８及び記憶部６９を有する。
【０１９６】
記憶部６９は、ＭＦＰ６ｂの識別情報（例えばＭＡＣアドレス）やコンテンツ管理サーバ８から送信された出力対象のコンテンツ等を記憶する。
【０１９７】
記憶・読出部６８は、図１２に示されるＣＰＵ６０１の処理によって実現され、記憶部６９に各種データを記憶し、記憶部６９から各種データを読み出す。
【０１９８】
送受信部６１は、ＣＰＵ６０１の処理並びに無線ＬＡＮ通信部６０６によって実現され、無線通信によって、コンテンツ管理サーバ８と各種データの送受信を行う。なお、送受信部６１は、コンテンツ出力装置６がイーサネットカードを備え、ネットワーク８９３が有線ＬＡＮである場合はイーサネット（登録商標）によりデータの送受信を行う。
【０１９９】
配信コンテンツ受付部６２は、コンテンツ管理サーバ８から送信されるコンテンツを、送受信部６１を介して受け付けると、印刷実行部６３にコンテンツの印刷の実行を要求する。
【０２００】
印刷実行部６３は、配信コンテンツ受付部６２が受け付けたコンテンツを、印刷装置６３２を制御し、印刷する。印刷実行部６３は、コンテンツの印刷実行の結果を印刷実行結果通知部６４に通知する。
【０２０１】
印刷実行部６３は、コンテンツの印刷実行結果を示す情報が含まれる印刷実行結果通知を、送受信部６１を介して、コンテンツ管理サーバ８に送信する。
【０２０２】
[動作手順]
本発明の実施の形態におけるコンテンツ管理システム１の動作手順を説明する。コンテンツ管理システム１の動作は、通信端末５の位置情報を位置情報管理サーバ９が管理するための位置情報管理動作と、コンテンツ管理サーバ８からプロジェクタ６ａに配信した投影コンテンツを記憶するコンテンツ配信状況記憶動作と、携帯端末４からの印刷要求に応じてＭＦＰ６ｂで印刷コンテンツを印刷する印刷実行動作とに大別される。
【０２０３】
〔位置情報管理動作〕
図２５は、本発明の実施の形態におけるコンテンツ管理システム１が通信端末５の位置情報を管理する動作手順の一例を示すシーケンス図である。
【０２０４】
Ｓ１１：配信装置３の配信制御部２０は、記憶部２９から取得した位置情報をＩＭＥＳ等により連続的又は断続的に送信する。
【０２０５】
Ｓ１２：通信端末５の受信制御部４０は、周期的（例えば６０秒周期）に行われる位置情報の受信処理により、配信装置３から送信される位置情報を受信する。なお、通信端末５が加速度センサを備えている場合は、加速度の変化の検知を契機に位置情報を受信してもよい。
【０２０６】
Ｓ１３：受信制御部４０は、受信した位置情報を記憶部４９に記憶する。
【０２０７】
Ｓ１４：通信端末５の無線通信制御部５０は、記憶部５９から取得した識別情報（例えば通信端末５のＭＡＣアドレス）と記憶部４９に記憶した位置情報とを含む位置情報更新要求を配信装置３に送信する。位置情報更新要求は、位置情報管理サーバ９により管理される通信端末５の位置情報を新規登録又は更新するための要求である。
【０２０８】
Ｓ１５：配信装置３の無線通信制御部３０の送受信部３１は、位置情報更新要求をＩＥＥＥ８０２．１５．４規格に準拠した通信方式を用いてゲートウェイ装置７に転送する。
【０２０９】
Ｓ１６：ゲートウェイ装置７の無線通信制御部７０の送受信部７１が配信装置３から送信された位置情報更新要求を受信すると、有線通信制御部８０の変換部８２は、ＩＥＥＥ８０２．１５．４規格に準拠した通信方式を、ネットワーク８９２に適合するＩＥＥＥ８０２．３規格に準拠した通信方式に変換する。
【０２１０】
Ｓ１７：有線通信制御部８０の送受信部８１は、位置情報管理サーバ９に位置情報更新要求を転送する。位置情報管理サーバ９の送受信部９１は、ゲートウェイ装置７からの位置情報更新要求を受信する。
【０２１１】
Ｓ１８：位置情報管理サーバ９の記憶・読出部９８は、記憶部９９に予め記憶されている通信端末５の識別情報と、受信した位置情報更新要求に含まれる識別情報とを対応付け、位置情報記憶部９９１に通信端末５の位置情報を記憶する。
【０２１２】
なお、上述したステップＳ１１〜Ｓ１８の通信端末５の位置情報の管理動作は、次に説明するコンテンツ配信状況記憶動作及び印刷実行動作とは独立して実行される。
【０２１３】
以上の動作手順により、本発明の実施の形態のコンテンツ管理システム１は、位置情報管理サーバ６により通信端末５の位置情報を管理できる。また、携帯端末４及びコンテンツ出力装置６には通信端末５が外部に取り付けられたり内蔵されたりしているため、通信端末５の位置情報を管理することにより、携帯端末４及びコンテンツ出力装置６の位置情報を管理できる。
【０２１４】
〔コンテンツ配信状況記憶動作〕
図２６は、本発明の実施の形態におけるコンテンツ管理システム１がコンテンツの配信後のコンテンツ配信状況を記憶する動作手順の一例を示すシーケンス図である。
【０２１５】
Ｓ２１：管理者がコンテンツ管理サーバ８に対して、プロジェクタ６ａに出力させる投影コンテンツを配信するためのコンテンツ配信指示を行う。具体的には、管理者が、コンテンツ管理サーバ８のキーボード８３１又はマウス８３２を操作し、配信対象とする投影コンテンツ及び配信先のプロジェクタ６ａを指定する。ここで、例えば管理者は、配信対象とする投影コンテンツ名に「商品Ａ動画」、配信先ＭＦＰ６ｂ名に「プロジェクタＡ」を指定している。また、「プロジェクタＡ」の識別情報は「００００７４ｆ０２２９ａ」とする。なお、管理者によるコンテンツ配信指示は、コンテンツ管理サーバ８を直接操作するのではなく、例えば携帯端末４等の他機器から遠隔で指定してもよい。
【０２１６】
Ｓ２２：コンテンツ管理サーバ８のコンテンツ配信部８４９は、管理者により指定された配信対象とする投影コンテンツ（「商品Ａ動画」）を、コンテンツデータ記憶部８５０５から読み出す。
【０２１７】
Ｓ２３：コンテンツ配信部８４９は、送受信部８４１を介して、管理者により指定された配信先のプロジェクタ６ａ（「プロジェクタＡ」）に、読み出した投影コンテンツ（「商品Ａ動画」）を配信する。
【０２１８】
Ｓ２４：コンテンツ配信部８４９は、投影コンテンツ（「商品Ａ動画」）を配信すると、コンテンツ配信状況記憶部８５０１の「コンテンツ名」に「商品Ａ動画」、「配信先出力装置識別情報」に「プロジェクタＡ」の識別情報「００００７４ｆ０２２９ａ」、配信日時を記憶する。
【０２１９】
Ｓ２５：投影コンテンツが配信されたプロジェクタ６ａ（「プロジェクタＡ」）は、受信した投影コンテンツ（「商品Ａ動画」）を投影する。
【０２２０】
以上の動作手順により、本発明の実施の形態のコンテンツ管理システム１は、コンテンツを配信する毎に、コンテンツ配信状況記憶部８５０１にコンテンツの配信状況を記憶する。
【０２２１】
〔印刷実行動作〕
図２７は、本発明の実施の形態におけるコンテンツ管理システム１が印刷要求に基づき印刷を実行する動作手順の一例を示すシーケンス図である。図２７の例の初期状態では、携帯端末４、プロジェクタ６ａ、ＭＦＰ６ｂに、それぞれ通信端末５ａ、５ｂ、５ｃが取り付けられており、通信端末５ａ、５ｂ、５ｃの位置情報は位置情報管理サーバ９によって管理されている。また、プロジェクタ６ａにおいて投影コンテンツ（「商品Ａ動画」）が出力されており（図２６のステップＳ２５）、「商品Ａ動画」が投影されている状態である。
【０２２２】
図２７においてコンテンツ管理システム１が適用される場面は次の通りである。まず、携帯端末４を所持するユーザはプロジェクタ６ａによって投影されている投影コンテンツ（「商品Ａ動画」）を視聴している。そして、ユーザは、ユーザ（携帯端末４）の近くに位置するＭＦＰ６ｂを利用して、投影コンテンツに関連する印刷コンテンツ（ちらし）を印刷させようとしている。以下、図２７に基づき説明する。
【０２２３】
Ｓ３１：ユーザは、携帯端末４のタッチパネル４３７を操作し、印刷指示アプリ４５０を起動させる。そして、ユーザは、印刷指示アプリ４５０の印刷指示画面（図１８）上に表示されている「ちらし」ボタン４５０１を押下（タッチ）し、印刷指示を行う。携帯端末４の操作入力受付部４４は、ユーザの印刷指示を受け付けると、印刷要求部４４５に印刷指示を通知する。
【０２２４】
Ｓ３２：印刷要求部４４５は、携帯端末４の識別情報を含む印刷要求を生成し、送受信部４４１を介し、コンテンツ管理サーバ８に印刷要求を送信する。ここで、携帯端末４の識別情報は例えば「００００７４ｆ０２２９ｄ」とする。
【０２２５】
コンテンツ管理サーバ８の印刷要求受付部８４２は、送受信部８４１を介し、携帯端末４から送信される印刷要求を受け付ける。そして、印刷要求受付部８４２は、印刷要求に含まれる携帯端末４の識別情報（「００００７４ｆ０２２９ｄ」）を端末位置情報取得部８４４に通知する。
【０２２６】
Ｓ３３：端末位置情報取得部８４４は、印刷要求受付部８４２から通知された印刷要求に含まれる携帯端末４の識別情報（「００００７４ｆ０２２９ｄ」）に基づき、通信端末関連情報記憶部８５０４から携帯端末４に対応する（取り付けられた）通信端末５ａの識別情報（通信端末識別情報）を取得する。ここで、通信端末関連情報記憶部８５０４に記憶される情報が例えば図２３に示す情報であるとすると、携帯端末４の識別情報「００００７４ｆ０２２９ｄ」に対応する通信端末５ａの識別情報は「００２６７３ａｂｃｄ０４」となる。
【０２２７】
Ｓ３４：端末位置情報取得部８４４は、識別情報（「００２６７３ａｂｃｄ０４」）を取得した通信端末５ａの位置情報を取得するための通信端末位置情報取得要求を位置情報管理サーバ９に、送受信部８４１を介して送信する。通信端末位置情報取得要求には、通信端末５ａの識別情報「００２６７３ａｂｃｄ０４」が含まれる。
【０２２８】
位置情報管理サーバ９の端末位置情報応答部９３は、送受信部９１を介して、コンテンツ管理サーバ８からの通信端末位置情報取得要求を受け付ける。
【０２２９】
Ｓ３５：端末位置情報応答部９３は、通信端末位置情報取得要求に含まれる通信端末５の識別情報（「００２６７３ａｂｃｄ０４」）に基づき、位置情報記憶部９９１から通信端末５ａの位置情報を読み出す。ここで、位置情報記憶部９９１に記憶される情報が例えば図１６に示す情報であるとすると、通信端末５ａの識別情報「００２６７３ａｂｃｄ０１」に対応する位置情報は管理ＩＤ「４」の位置情報となる。この位置情報は図１６の例より、緯度「３５．５０４２６」、経度「１３９．６２０５１」、「１」階、「Ｙ」棟となる。
【０２３０】
Ｓ３６：端末位置情報応答部９３は、通信端末５の位置情報を含む通信端末位置情報取得要求応答を生成し、送受信部９１を介しコンテンツ管理サーバ８に送信する。
【０２３１】
コンテンツ管理サーバ８の端末位置情報取得部８４４は、送受信部８４１を介して通信端末５の位置情報を受信すると、受信した通信端末５ａの位置情報をエリア特定部８４５に通知する。
【０２３２】
Ｓ３７：エリア特定部８４５は、端末位置情報取得部８４４から通知された通信端末５ａの位置情報に基づき、エリア情報記憶部８５０３から、通信端末５ａが取り付けられた携帯端末４の位置するエリアを特定する。ここで、エリア情報記憶部８５０３に記憶される情報が例えば図２２に示す情報であるとすると、位置情報管理サーバ９から取得した通信端末５ａの位置情報（緯度「３５．５０４２６」、経度「１３９．６２０５１」、「１」階、「Ｙ」棟）は、エリアＩＤ「１」に対応する「Ｙ」棟、「１」階の南端「３５．５０４０３」、北端「３５．５０４５４」、西端「１３９．６２００３」、東端「１３９．６２１０２」に囲まれた範囲内に含まれる。したがって、通信端末５ａが取り付けられた携帯端末４が位置するエリアは「展示会場スペースＡ」（エリア名）と特定される。次に、エリア特定部８４５は、特定したエリアに対応する位置情報（棟、階数、東端、西端、南端、北端）を端末検索部８４６に通知する。
【０２３３】
Ｓ３８：端末検索部８４６は、携帯端末４が位置するエリア内に位置する他の通信端末５を特定するため、位置情報管理サーバ９に通信端末検索要求を送信する。通信端末検索要求には、エリア特定部８４５から通知されたエリアの位置情報（「Ｙ」棟、「１」階の南端「３５．５０４０３」、北端「３５．５０４５４」、西端「１３９．６２００３」、東端「１３９．６２１０２」）が含まれる。
【０２３４】
位置情報管理サーバ９の端末検索応答部９５は、送受信部９１を介して、通信端末検索要求を受け付ける。
【０２３５】
Ｓ３９：端末検索応答部９５は、通信端末検索要求に含まれるエリアの位置情報に基づき、位置情報記憶部９９１からそのエリア内に位置する通信端末５の識別情報を取得する。ここで、位置情報記憶部９９１に記憶される情報が例えば図１６に示す情報であるとすると、エリアの位置情報（「Ｙ」棟、「１」階の南端「３５．５０４０３」、北端「３５．５０４５４」、西端「１３９．６２００３」、東端「１３９．６２１０２」）に含まれる位置情報を有する他の通信端末５の識別情報は、「００２６７３ａｂｃｄ０１」、「００２６７３ａｂｃｄ０５」、「００２６７３ａｂｃｄ０６」、「００２６７３ａｂｃｄ０７」となる。そして、端末検索応答部９５は、検索した通信端末５の識別情報及び位置情報を含む通信端末検索要求応答を生成する。
【０２３６】
Ｓ４０：端末検索応答部９５は、生成した通信端末検索要求応答を、送受信部９１を介して、コンテンツ管理サーバ８に送信する。
【０２３７】
コンテンツ管理サーバ８の端末検索部８４６は、位置情報管理サーバ９から通信端末５の識別情報及び位置情報を含む通信端末検索要求応答を受信すると、出力装置・コンテンツ特定部８４７に受信した通信端末５の識別情報及び位置情報を通知する。
【０２３８】
Ｓ４１：出力装置・コンテンツ特定部８４７は、端末検索部８４６から通知された通信端末５の識別情報に対応するコンテンツ出力装置６の識別情報を、通信端末関連情報記憶部８５０４から抽出する。ここで、通信端末関連情報記憶部８５０４に記憶される情報が例えば図２３に示す情報であるとすると、通知された通信端末５の上記識別情報に対するコンテンツ出力装置６の識別情報及びカテゴリは、それぞれ「００００７４ｆ０２２９ａ（プロジェクタ）」、「００００７４ｆ０２２９ｅ（ＭＦＰ）」、「００００７４ｆ０２２９ｆ（ＭＦＰ）」、「００００７４ｆ０２２ａ０（プロジェクタ）」となる。出力装置・コンテンツ特定部８４７は、抽出したコンテンツ出力装置６の識別情報及びカテゴリとステップＳ４０で取得した位置情報とを対応付けて、ＲＡＭ８２３等に一時記憶する。
【０２３９】
Ｓ４２：出力装置・コンテンツ特定部８４７は、カテゴリがプロジェクタである抽出したコンテンツ出力装置６に配信された投影コンテンツを、コンテンツ配信状況記憶部８５０１に基づき特定する。この特定された投影コンテンツがプロジェクタ６ａにおいて出力中の投影コンテンツである。具体的には、まず特定されたプロジェクタ６ａの識別情報「００００７４ｆ０２２９ａ」、「００００７４ｆ０２２ａ０」の識別情報が、図２０に示すコンテンツ配信状況記憶部８５０１に含まれているかを判定する。コンテンツ配信状況記憶部８５０１（図２０）には、識別情報「００００７４ｆ０２２９ａ」が含まれている。次に、この識別情報に対応するコンテンツ名「商品Ａ動画」を読み出す。このコンテンツが配信された出力中の投影コンテンツとして特定される。なお、コンテンツ配信状況記憶部８５０１の中に、抽出されたプロジェクタ６ａが複数存在する場合は、ステップＳ３６で取得した携帯端末４の位置情報とプロジェクタ６ａの位置情報とを比較し、携帯端末４に近いプロジェクタ６ａに配信されたコンテンツを出力中の投影コンテンツとして特定する。また、例えば配信された年月日と判定時の年月日を比較し、両者が異なるプロジェクタ６ａに配信されたコンテンツは出力中の投影コンテンツから除外してもよい。
【０２４０】
Ｓ４３：出力装置・コンテンツ特定部８４７は、特定した出力中の投影コンテンツに対応する印刷コンテンツを、コンテンツ情報記憶部８５０２から読み出す。ここで、コンテンツ情報記憶部８５０２に記憶される情報が例えば図２１に示す情報であるとすると、出力中の投影コンテンツ名「商品Ａ動画」に対応する印刷コンテンツ名は「商品Ａちらし」となる。
【０２４１】
Ｓ４４：出力装置・コンテンツ特定部８４７は、ステップＳ４１において一時記憶したカテゴリが「ＭＦＰ」であるコンテンツ出力装置６（ＭＦＰ６ｂ）とその位置情報とを読み出し、ステップＳ３６で取得した携帯端末４の位置情報と比較する。そして、出力装置・コンテンツ特定部８４７は、携帯端末４の位置に、より近くに位置するＭＦＰ６ｂを配信先として決定する。ここで、位置情報（緯度，経度）がそれぞれ、携帯端末４は（３５．５０４２６、１３９．６２０５１）、識別情報「００００７４ｆ０２２９ｅ」のＭＦＰ６ｂは（３５．５０４２７，１３９．６２０５２）、識別情報「００００７４ｆ０２２９ｆ」のＭＦＰ６ｂは（３５．５０４０９，１３９．６２０３２）とすると、識別情報「００００７４ｆ０２２９ｅ」のＭＦＰ６ｂが携帯端末４に近くに位置している。したがって、識別情報「００００７４ｆ０２２９ｅ」のＭＦＰ６ｂが配信先として決定される。また、この識別情報を有するＭＦＰ名は、図２３の通信端末関連情報記憶部８５０４より「ＭＦＰ  Ａ」である。
【０２４２】
出力装置・コンテンツ特定部８４７は、ステップＳ４３において読み出した配信する印刷コンテンツ（「商品Ａちらし」）と、配信先ＭＦＰ６ｂ（識別情報「００００７４ｆ０２２９ｅ」、装置名「ＭＦＰ  Ａ」）とを印刷要求応答部８４３に通知する。
【０２４３】
Ｓ４５：印刷要求応答部８４３は、コンテンツ配信部８４９に、配信先ＭＦＰ６ｂ（「ＭＦＰ  Ａ」）に印刷コンテンツ（「商品Ａちらし」）の配信処理の実行要求をする。そして、コンテンツ配信部８４９は、送受信部８４１を介してＭＦＰ６ｂに、印刷コンテンツを配信する。
【０２４４】
ＭＦＰ６ｂの配信コンテンツ受付部６２が送受信部６１を介して印刷コンテンツ（「商品Ａちらし」）を受け付けると、印刷コンテンツを印刷実行部６３に通知する。
【０２４５】
Ｓ４６：印刷実行部６３は、印刷コンテンツ（「商品Ａちらし」）を、印刷装置６３２（図１３）を制御し、印刷する。印刷実行部６３は、印刷処理が完了すると、印刷実行結果通知部６４に印刷の完了を通知する。また、印刷実行部６３が、例えば印刷装置６３２の故障やトナー切れ、用紙切れ等のため、印刷できなかった場合は、印刷が実行できなかったことを、印刷実行結果通知部６４に通知する。
【０２４６】
Ｓ４７：印刷実行結果通知部６４は、印刷結果を示す情報を含む印刷実行結果通知を生成し、送受信部６１を介し、コンテンツ管理サーバ８に通知する。
【０２４７】
コンテンツ管理サーバ８の印刷要求応答部８４３は、印刷実行結果通知を受け付ける。
【０２４８】
Ｓ４８：印刷要求応答部８４３は、印刷実行結果と、配信した印刷コンテンツ（「商品Ａちらし」）と、印刷コンテンツの配信先ＭＦＰ６ｂの名称（「ＭＦＰ  Ａ」）とを含む印刷要求応答を生成し、送受信部８４１を介して、印刷要求応答を携帯端末４に送信する。
【０２４９】
携帯端末４の印刷要求応答受付部４４６は、送受信部４４１を介して、印刷要求応答を受け付けると、印刷要求応答に含まれるＭＦＰ名及び印刷コンテンツの名称が含まれる図１９に示すような印刷結果通知画面を生成する。
【０２５０】
Ｓ４９：印刷要求応答受付部４４６は、表示制御部４４２を介して、タッチパネル４３７に生成した印刷結果通知画面を表示する。
【０２５１】
以上の動作手順により、本発明の実施の形態におけるコンテンツ管理システム１は、投影中の投影コンテンツに対応する印刷コンテンツを印刷させるための携帯端末４からの印刷要求に基づき、携帯端末４及びコンテンツ出力装置６（プロジェクタ６ａ、ＭＦＰ６ｂ）の位置情報を用いて、携帯端末４の近くに位置するＭＦＰ６ｂに印刷コンテンツを出力させることができる。
【０２５２】
これにより、携帯端末４のユーザは、プロジェクタ６ａにより投影されている投影コンテンツに関連する印刷コンテンツを、印刷コンテンツ及び印刷先ＭＦＰの名称等を指定することなく、簡単な操作（「ちらし」ボタン４５０１の押下のみ）で、ＭＦＰ６ｂを用いて印刷できる。
【０２５３】
また、例えば携帯端末４の位置するエリア内に複数のＭＦＰ６ｂが存在していたとしても、近くのＭＦＰ６ｂを用いて印刷できる。
【０２５４】
[フローチャート]
本発明の実施の形態におけるコンテンツ管理サーバ８が携帯端末４からの印刷要求を受け付けた後に実行される処理手順について、図２８及び図２９を用いて説明する。
【０２５５】
図２８は、本発明の実施の形態におけるコンテンツ管理サーバ８の印刷要求受付時の処理手順の一例を示すフローチャート図（その１）である。
【０２５６】
図２９は、本発明の実施の形態におけるコンテンツ管理サーバ８の印刷要求受付時の処理手順の一例を示すフローチャート図（その２）である。
【０２５７】
まず図２８に基づき説明する。
【０２５８】
Ｓ１０１：コンテンツ管理サーバ８の印刷要求受付部８４２は、携帯端末４から送信された携帯端末４の識別情報が含まれている印刷要求を受信する。
【０２５９】
Ｓ１０２：端末位置情報取得部８４４は、印刷要求に含まれる携帯端末４の識別情報に基づき、通信端末関連情報記憶部８５０４から携帯端末４に対応する（取り付けられた）通信端末５の識別情報（通信端末識別情報）を取得する。
【０２６０】
Ｓ１０３：端末位置情報取得部８４４は、通信端末５の識別情報を含む通信端末位置情報取得要求を位置情報管理サーバ９に送信し、位置情報管理サーバ９から通信端末５の位置情報を取得する。
【０２６１】
Ｓ１０４：エリア特定部８４５は、取得した通信端末５の位置情報に基づき、エリア情報記憶部８５０３から、通信端末５が取り付けられた携帯端末４の位置するエリアを特定する。
【０２６２】
Ｓ１０５：端末検索部８４６は、位置情報管理サーバ９に携帯端末４の位置するエリアの位置情報を含む通信端末検索要求を送信し、コンテンツ出力装置６が位置するエリア内に存在する他の通信端末５を検索する。位置情報管理サーバ９からの通信端末検索要求応答には、通信端末５の識別情報及び位置情報が含まれている。
【０２６３】
Ｓ１０６：出力装置・コンテンツ特定部８４７は、ステップＳ１０５において検索された通信端末５の識別情報に対応するコンテンツ出力装置６の識別情報を、通信端末関連情報記憶部８５０４に基づき抽出する。このとき、コンテンツ出力装置６のうちプロジェクタ６ａとＭＦＰ６ｂとを分類し、識別情報を一時記憶する。
【０２６４】
Ｓ１０７：出力装置・コンテンツ特定部８４７は、抽出したプロジェクタ６ａにコンテンツが配信されているか否かをコンテンツ配信状況記憶部８５０１に基づき判定する。この判定は、具体的にプロジェクタ６ａの識別情報がコンテンツ配信状況記憶部８５０１に含まれているかが判定される。ここで、抽出したプロジェクタ６ａにコンテンツが配信されていないと判定された場合（ＮＯ）、図２９に示す「Ｂ」の処理が実行される。一方、抽出したプロジェクタ６ａにコンテンツが配信されていると判定された場合（ＹＥＳ）、ステップＳ１０８の処理が実行される。
【０２６５】
Ｓ１０８：配信されたコンテンツの年月日が、現時点の年月日と一致しているか否かが判定される。この判定は、具体的に、コンテンツ配信状況記憶部８５０１に含まれている「配信年月日」が、判定処理時点の年月日と一致するか否かが判定される。ここで、コンテンツの配信日と現在日とが異なる場合は、現在プロジェクタ６ａで投影されているコンテンツが、コンテンツ管理サーバ８において記憶（管理）しているコンテンツと異なっている可能性がある。そのため、両者の日付が異なる場合は、印刷処理を実行しないようにする。なお、このステップＳ１０８の判定処理において、日時分秒まで比較し、現在時刻と配信時刻との差が所定の時間（例えば３０分間）内であるか否かを判定してもよい。なお、ステップＳ１０８の判定処理は本発明の実施の形態のコンテンツ管理システム１において任意の処理であり、ステップＳ１０８の処理を行わないようにしてもよい。ここで、コンテンツの配信日と現在日とが異なると判定された場合（ＮＯ）、図２９に示す「Ｂ」の処理が実行される。一方、コンテンツの配信日と現在日とが同じである場合（ＹＥＳ）、ステップＳ１０９の処理が実行される。
【０２６６】
Ｓ１０９：出力装置・コンテンツ特定部８４７は、コンテンツの配信日と現在日が一致しているプロジェクタ６ａが複数あるか否かを判定する。ここで、プロジェクタ６ａが複数ある場合（ＹＥＳ）、ステップＳ１１０の処理が実行される。一方、プロジェクタ６ａが複数ない場合（ＮＯ）、ステップＳ１１１の処理が実行される。
【０２６７】
Ｓ１１０：出力装置・コンテンツ特定部８４７は、複数のプロジェクタ６ａのうち携帯端末４のより近くに位置するプロジェクタ６ａを、投影コンテンツが出力されているプロジェクタ６ａとして特定する。次に、ステップＳ１１２の処理が実行される。
【０２６８】
Ｓ１１１：出力装置・コンテンツ特定部８４７は、抽出したプロジェクタ６ａを、投影コンテンツが出力されているプロジェクタ６ａとして特定する。次に、ステップＳ１１２の処理が実行される。
【０２６９】
Ｓ１１２：ステップＳ１１０又はＳ１１１において特定されたプロジェクタ６ａに出力されている投影コンテンツを、コンテンツ配信状況記憶部８５０１から読み出す。次に、図２９に示す「Ａ」以降の処理が実行される。
【０２７０】
図２９に基づき続きの処理を説明する。
【０２７１】
Ｓ１１３：出力装置・コンテンツ特定部８４７は、読み出した投影コンテンツに対応する印刷コンテンツをコンテンツ情報記憶部８５０２から読み出す。
【０２７２】
Ｓ１１４：出力装置・コンテンツ特定部８４７は、ステップＳ１０６において抽出したＭＦＰ６ｂが複数あるか否かを判定する。ここで、ＭＦＰ６ｂが複数ある場合（ＹＥＳ）、ステップＳ１１５の処理が実行される。一方、ＭＦＰ６ｂが複数ない場合（ＮＯ）、ステップＳ１１６の処理が実行される。
【０２７３】
Ｓ１１５：出力装置・コンテンツ特定部８４７は、複数のＭＦＰ６ｂのうち携帯端末４のより近くに位置するＭＦＰ６ｂを、印刷コンテンツの配信先のＭＦＰ６ｂとして決定する。次に、ステップＳ１１７の処理が実行される。
【０２７４】
Ｓ１１６：出力装置・コンテンツ特定部８４７は、抽出したＭＦＰ６ｂを、印刷コンテンツの配信先のＭＦＰ６ｂとして決定する。次に、ステップＳ１１７の処理が実行される。
【０２７５】
Ｓ１１７：コンテンツ配信部８４９は、決定した配信先ＭＦＰ６ｂに、ステップＳ１１３において読み出した印刷コンテンツを配信する。印刷コンテンツの配信後、ＭＦＰ６ｂにおいて印刷コンテンツの印刷処理が実行される。
【０２７６】
Ｓ１１８：印刷要求応答部８４３は、配信先ＭＦＰ６ｂから送信された印刷が実行されたか否かを示す印刷実行結果通知を受信する。
【０２７７】
Ｓ１１９：図２８に示すステップＳ１０７若しくはＳ１０８においてＮＯの場合又はステップＳ１１８の処理の終了後、印刷要求応答部８４３は、携帯端末４に送信する印刷要求応答を生成する。印刷要求応答には、印刷が実行されたか否かを示す印刷結果と、印刷コンテンツ名及び印刷コンテンツが配信されたＭＦＰ６ｂの名称が含まれる。また、ステップＳ１０７又はＳ１０８においてＮＯの場合、すなわち携帯端末４の位置するエリアに投影コンテンツが配信されたプロジェクタ６ａが不明でありＭＦＰ６ｂで印刷する印刷コンテンツを特定できなかった場合、プロジェクタ６ａ又はコンテンツが特定できなかったことを示す情報を含む印刷要求応答を生成する。
【０２７８】
Ｓ１２０：印刷要求応答部８４３は、携帯端末４に生成した印刷要求応答を送信する。
【０２７９】
上述した図２８及び図２９に示す処理手順により、本発明の実施の形態のコンテンツ管理システム１は、携帯端末４及びコンテンツ出力装置６の位置情報を用いて、印刷コンテンツ及び印刷を実行させるＭＦＰ６ｂを特定し、印刷を実行できる。
【０２８０】
《変形例》
本発明の実施の形態の変形例におけるコンテンツ管理システム１は、配信先のＭＦＰ６ｂにおいて配信した印刷コンテンツが印刷されなかった場合、他のＭＦＰ６ｂを再選択し、印刷コンテンツの印刷を実行させる。
【０２８１】
図３０は、本発明の実施の形態の変形例におけるコンテンツ管理サーバ８の印刷要求受付時の処理手順の一例を示すフローチャート図である。なお、図３０において、図２９に示す処理と同じ処理については、同一ステップ番号を付与しており、これらの詳細な説明は省略する。また、図３０に示すステップＳ１１３以前に実行される処理は、図２８のフローチャート図に示される処理手順と同じである。変形例と本発明の実施の形態との相違点を中心に説明する。
【０２８２】
図３０に示されるように、変形例では、投影コンテンツに対応する印刷コンテンツの読出し処理（Ｓ１１３）が終了すると、抽出したＭＦＰ６ｂのうち印刷コンテンツを配信していないＭＦＰ６ｂが存在するか否かが判定される（Ｓ１１３ａ）。次に、印刷コンテンツが未配信のＭＦＰ６ｂが存在する場合（Ｓ１１３ａにおいてＹＥＳ）、未配信のＭＦＰ６ｂのうち携帯端末４のより近くに位置するＭＦＰ６ｂを、印刷コンテンツの配信先ＭＦＰ６ｂとして決定する（Ｓ１１５ａ）。なお、未配信のＭＦＰがない場合（ステップＳ１１３ａにおいてＮＯ）、印刷コンテンツを印刷できなかったことを示す情報を含む印刷要求応答が生成される（Ｓ１１９）。
【０２８３】
また、配信先ＭＦＰ６ｂからの印刷実行結果通知を受信すると（Ｓ１１８）、印刷実行結果通知に含まれる印刷実行結果を参照し、配信先ＭＦＰ６ｂで印刷処理が完了されたか否かを判定する（Ｓ１１８ａ）。ここで、配信先ＭＦＰ６ｂにおいて印刷処理が完了していないと判定された場合（Ｓ１１８ａにおいてＮＯ）、ステップＳ１１３ａの処理が実行され、未配信のＭＦＰ６ｂが存在していれば、再度印刷コンテンツを未配信のＭＦＰ６ｂに送信する。
【０２８４】
以上の処理手順により、本発明の実施の形態の変形例のコンテンツ管理システム１は、ＭＦＰ６ｂにおいて印刷処理が実行できなかった場合、印刷コンテンツの配信先を他のＭＦＰ６ｂに変更して印刷処理を実行できる。
【０２８５】
これにより、ユーザはあるＭＦＰ６ｂがトナー切れや用紙切れ、印刷装置６３２の故障等により、印刷コンテンツを印刷できない場合においても、ユーザがＭＦＰ６ｂの機器常態の把握や用紙の補充等をすることなく、他のＭＦＰ６ｂを用いて印刷できる。
【０２８６】
《その他の変形例》
なお、本発明の実施の形態において、コンテンツ出力装置６の一例であるプロジェクタ６ａで投影されている投影コンテンツに対応する印刷コンテンツを、コンテンツ出力装置６の一例であるＭＦＰ６ｂで印刷する例を示したが、コンテンツ出力装置６として適用される装置、装置の組合せ及びコンテンツの種別はこれに限らない。本発明の実施の形態のコンテンツ管理システム１によれば、例えば、ＭＦＰ６ｂで印刷された印刷コンテンツに対応する投影コンテンツを、プロジェクタ６ａに配信し投影することもできる。
【０２８７】
なお、本発明の実施の形態において、印刷要求を行う機器を携帯端末４としたが、印刷要求を行う機器は携帯端末４に限らず、印刷指示アプリ４５０がインストールされる機器であれば、例えばデスクトップＰＣやコンテンツ出力装置６（プロジェクタ等の表示装置やＭＦＰ等の画像形成装置）であってもコンテンツ管理システム１の機能は動作される。
【０２８８】
なお、本発明の実施の形態において、位置情報管理サーバ９とコンテンツ管理サーバ８とを異なる装置としたが、例えばコンテンツ管理サーバ８が、位置情報管理サーバ９が備える通信端末５の位置情報を管理する機能（図１４参照）を有してもよい。
【０２８９】
以上、本発明の実施の形態について詳述したが、本発明はかかる特定の実施の形態に限定されるものではなく、特許請求の範囲に記載された本発明の要旨の範囲内において、種々の変形、変更が可能である。
【符号の説明】
【０２９０】
１        コンテンツ管理システム
３        配信装置
４        携帯端末
４４５    印刷要求部
４４６    印刷要求応答部
４５０    印刷指示アプリ
５        通信端末
６        コンテンツ出力装置
６ａ      プロジェクタ
６ｂ      ＭＦＰ
６２      配信コンテンツ受付部
６３      印刷実行部
６４      印刷実行結果通知部
７        ゲートウェイ装置
８        コンテンツ管理サーバ
８４２    印刷要求受付部
８４３    印刷要求応答部
８４４    端末位置情報取得部
８４５    エリア特定部
８４６    端末検索部
８４７    出力装置・コンテンツ特定部
８４９    コンテンツ配信部
８５０１  コンテンツ配信状況記憶部
８５０２  コンテンツ情報記憶部
８５０３  エリア情報記憶部
８５０４  通信端末関連情報記憶部
８５０５  コンテンツデータ記憶部
９        位置情報管理サーバ
９３      端末位置情報応答部
９５      端末検索応答部
９９１    位置情報記憶部
【先行技術文献】
【特許文献】
【０２９１】
【特許文献１】特開２００９−８７２３７号公報
【図１】
2014110025.tif 000003
【図２】
2014110025.tif 000004
【図３】
2014110025.tif 000005
【図４】
2014110025.tif 000006
【図５】
2014110025.tif 000007
【図６】
2014110025.tif 000008
【図７】
2014110025.tif 000009
【図８】
2014110025.tif 000010
【図９】
2014110025.tif 000011
【図１０】
2014110025.tif 000012
【図１１】
2014110025.tif 000013
【図１２】
2014110025.tif 000014
【図１３】
2014110025.tif 000015
【図１４】
2014110025.tif 000016
【図１５】
2014110025.tif 000017
【図１６】
2014110025.tif 000018
【図１７】
2014110025.tif 000019
【図１８】
2014110025.tif 000020
【図１９】
2014110025.tif 000021
【図２０】
2014110025.tif 000022
【図２１】
2014110025.tif 000023
【図２２】
2014110025.tif 000024
【図２３】
2014110025.tif 000025
【図２４】
2014110025.tif 000026
【図２５】
2014110025.tif 000027
【図２６】
2014110025.tif 000028
【図２７】
2014110025.tif 000029
【図２８】
2014110025.tif 000030
【図２９】
2014110025.tif 000031
【図３０】
2014110025.tif 000032